(57)【要約】  本開示は、タイミングアドバンス指示方法、基地局、端末および装置を提供する。当該方法において、ＰＵＳＣＨおよび／またはＰＵＣＣＨのサブキャリア間隔配置情報を端末に送信することと、前記端末から前記サブキャリア間隔配置情報に基づいてフィードバックされるプリアンブルを受信することと、前記プリアンブルに基づき、追跡エリアに対応するタイミングアドバンスの定量値を取得することと、前記タイミングアドバンスの定量値を前記端末に送信することとを含む。【選択図】  図１
2020533909.tif 000002
【特許請求の範囲】
【請求項１】
基地局に応用されるタイミングアドバンス指示方法において、
ＰＵＳＣＨ（Ｐｈｙｓｉｃａｌ  Ｕｐｌｉｎｋ  Ｓｈａｒｅｄ  Ｃｈａｎｎｅｌ）および／またはＰＵＣＣＨ（Ｐｈｙｓｉｃａｌ  Ｕｐｌｉｎｋ  Ｃｏｎｔｒｏｌ  Ｃｈａｎｎｅｌ）のサブキャリア間隔配置情報を端末に送信することと、
前記端末から前記サブキャリア間隔配置情報に基づいてフィードバックされるプリアンブルを受信することと、
前記プリアンブルに基づき、追跡エリアに対応するタイミングアドバンスの定量値を取得することと、
前記タイミングアドバンスの定量値を前記端末に送信することと、
を含む、タイミングアドバンス指示方法。
【請求項２】
前記プリアンブルに基づき、追跡エリアに対応するタイミングアドバンスの定量値を取得することは、
前記端末から送信されるＰＲＡＣＨ（Ｐｈｙｓｉｃａｌ  Ｒａｎｄｏｍ  Ａｃｃｅｓｓ  Ｃｈａｎｎｅｌ）の前記プリアンブルに基づき、追跡エリアに対応する参照タイミングアドバンスを推定することと、
前記参照タイミングアドバンスと前記サブキャリア間隔配置情報に基づき、前記タイミングアドバンスの定量値を取得することとを含む、請求項１に記載のタイミングアドバンス指示方法。
【請求項３】
前記参照タイミングアドバンスと前記サブキャリア間隔配置情報に基づき、前記タイミングアドバンスの定量値を取得することは、
前記サブキャリア間隔配置情報に基づき、タイミングアドバンスの時間定量化単位を取得することと、
前記参照タイミングアドバンスと前記タイミングアドバンスの時間定量化単位に基づき、前記タイミングアドバンスの定量値を取得することとを含む、請求項２に記載のタイミングアドバンス指示方法。
【請求項４】
前記の前記サブキャリア間隔配置情報に基づき、タイミングアドバンスの時間定量化単位を取得する前に、
端末に対し配置する１つまたは複数のコンポーネントキャリアを含むタイミングアドバンス群を、端末に対し１つまたは複数配置することをさらに含み、
前記の前記サブキャリア間隔配置情報に基づき、タイミングアドバンスの時間定量化単位を取得することは、
前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位を取得することを含む、請求項３に記載のタイミングアドバンス指示方法。
【請求項５】
前記の前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位を取得することは、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべてのアップリンク帯域幅部分のすべてのＰＵＳＣＨおよび／またはＰＵＣＣＨのサブキャリア間隔の最大値を取得することと、
前記サブキャリア間隔の最大値に基づき、前記タイミングアドバンス群に対応するタイミングアドバンスの時間定量化単位を取得することとを含む、請求項４に記載のタイミングアドバンス指示方法。
【請求項６】
前記の前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位を取得することは、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべての活性化状態のアップリンク帯域幅部分のすべてのＰＵＳＣＨおよび／またはＰＵＣＣＨのサブキャリア間隔の最大値を取得することと、
前記サブキャリア間隔の最大値に基づき、前記タイミングアドバンス群に対応するタイミングアドバンスの時間定量化単位を取得することとを含む、請求項４に記載のタイミングアドバンス指示方法。
【請求項７】
前記サブキャリア間隔の最大値に基づき、前記タイミングアドバンス群に対応するタイミングアドバンスの時間定量化単位を取得することは、
前記サブキャリア間隔配置情報のうちのサブキャリア間隔と前記タイミングアドバンスの時間定量化単位との予め形成された対応関係では、前記サブキャリア間隔の最大値Ｓに対応する前記タイミングアドバンスの時間定量化単位Ｎをサーチすることを含む、請求項５または６に記載のタイミングアドバンス指示方法。
【請求項８】
前記参照タイミングアドバンスと前記タイミングアドバンスの時間定量化単位に基づき、前記タイミングアドバンスの定量値を取得することは、
前記参照タイミングアドバンスＴとサンプリング間隔との比に基づき、目標変換値Ｍを特定することと、
前記目標変換値Ｍと前記タイミングアドバンスの時間定量化単位Ｎに基づき、タイミングアドバンスの定量値Ｋを特定することとを含む、請求項３に記載のタイミングアドバンス指示方法。
【請求項９】
前記目標変換値Ｍと前記タイミングアドバンスの時間定量化単位Ｎに基づき、タイミングアドバンスの定量値Ｋを特定することは、
第１所定公式Ｋ＝Ｍ／Ｎで計算し、前記タイミングアドバンスの定量値Ｋを取得することを含む、請求項８に記載のタイミングアドバンス指示方法。
【請求項１０】
前記タイミングアドバンスの定量値を前記端末に送信することは、
前記タイミングアドバンスの定量値が付帯されたランダムアクセス応答メッセージを前記端末に送信することを含む、請求項１に記載のタイミングアドバンス指示方法。
【請求項１１】
端末に応用されるタイミングアドバンス指示方法において、
基地局から送信されるＰＵＳＣＨおよび／またはＰＵＣＣＨのサブキャリア間隔配置情報を受信することと、
前記サブキャリア間隔配置情報に基づき、プリアンブルを前記基地局にフィードバックすることと、
前記プリアンブルに基づいて取得される追跡エリアに対応するタイミングアドバンスの定量値を前記基地局から受信することと、
前記タイミングアドバンスの定量値と前記サブキャリア間隔配置情報に基づき、目標タイミングアドバンスを特定してアップリンクタイミング調整を行うことと、
を含む、タイミングアドバンス指示方法。
【請求項１２】
前記サブキャリア間隔配置情報に基づき、プリアンブルを前記基地局にフィードバックすることは、
受信した前記サブキャリア間隔配置情報に基づき、ＰＲＡＣＨの前記プリアンブルを前記基地局にフィードバックすることを含む、請求項１１に記載のタイミングアドバンス指示方法。
【請求項１３】
前記プリアンブルに基づいて取得される追跡エリアに対応するタイミングアドバンスの定量値を前記基地局から受信することは、
前記タイミングアドバンスの定量値が付帯されるランダムアクセス応答メッセージを前記基地局から受信し、前記タイミングアドバンスの定量値を取得することを含む、請求項１１に記載のタイミングアドバンス指示方法。
【請求項１４】
前記タイミングアドバンスの定量値と前記サブキャリア間隔配置情報に基づき、目標タイミングアドバンスを特定してアップリンクタイミング調整を行うことは、
前記サブキャリア間隔配置情報に基づき、タイミングアドバンスの時間定量化単位Ｎを取得することと、
前記タイミングアドバンスの時間定量化単位Ｎと前記タイミングアドバンスの定量値Ｋに基づき、前記目標タイミングアドバンスＦを特定することと、
前記目標タイミングアドバンスＦに基づき、アップリンクタイミング調整を行うこととを含む、請求項１１に記載のタイミングアドバンス指示方法。
【請求項１５】
前記の前記サブキャリア間隔配置情報に基づき、タイミングアドバンスの時間定量化単位Ｎを取得する前に、
基地局から端末に対し配置する１つまたは複数のタイミングアドバンス群を特定することをさらに含み、
ここで、各々の前記タイミングアドバンス群には、端末に対し配置する１つまたは複数のコンポーネントキャリアを含み、
前記の前記サブキャリア間隔配置情報に基づき、タイミングアドバンスの時間定量化単位Ｎを取得することは、
前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位Ｎを取得することを含む、請求項１４に記載のタイミングアドバンス指示方法。
【請求項１６】
前記の前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位Ｎを取得することは、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべてのアップリンク帯域幅部分のすべてのＰＵＳＣＨおよび／またはＰＵＣＣＨのサブキャリア間隔の最大値を取得することと、
前記サブキャリア間隔の最大値に基づき、前記タイミングアドバンス群に対応するタイミングアドバンスの時間定量化単位Ｎを取得することとを含む、請求項１５に記載のタイミングアドバンス指示方法。
【請求項１７】
前記の前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位Ｎを取得することは、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべての活性化状態のアップリンク帯域幅部分のすべてのＰＵＳＣＨおよび／またはＰＵＣＣＨのサブキャリア間隔の最大値を取得することと、
前記サブキャリア間隔の最大値に基づき、前記タイミングアドバンス群に対応するタイミングアドバンスの時間定量化単位を取得することとを含む、請求項１５に記載のタイミングアドバンス指示方法。
【請求項１８】
前記の前記サブキャリア間隔の最大値に基づき、前記タイミングアドバンス群に対応するタイミングアドバンスの時間定量化単位を取得することは、
前記サブキャリア間隔配置情報のうちのサブキャリア間隔と前記タイミングアドバンスの時間定量化単位との予め形成された対応関係では、前記サブキャリア間隔の最大値Ｓに対応する前記タイミングアドバンスの時間定量化単位Ｎをサーチすることを含む、請求項１６または１７に記載のタイミングアドバンス指示方法。
【請求項１９】
前記タイミングアドバンスの時間定量化単位Ｎと前記タイミングアドバンスの定量値Ｋに基づき、前記目標タイミングアドバンスＦを特定することは、
第２所定公式Ｆ＝Ｎ＊Ｋで計算し、前記目標タイミングアドバンスＦを取得することを含む、請求項１４に記載のタイミングアドバンス指示方法。
【請求項２０】
トランシーバと、メモリと、プロセッサと、前記メモリに記憶されて前記プロセッサで実行可能なプログラムを含む基地局において、
前記プロセッサは、メモリからプログラムを読み取ることによって、
ＰＵＳＣＨおよび／またはＰＵＣＣＨのサブキャリア間隔配置情報を端末に送信するプロセスと、
前記端末から前記サブキャリア間隔配置情報に基づいてフィードバックされるプリアンブルを受信するプロセスとを、前記トランシーバに実行させることに用いられ、
前記プロセッサは、
前記プリアンブルに基づき、追跡エリアに対応するタイミングアドバンスの定量値を取得するプロセスを実行することに用いられ、
前記トランシーバは、さらに、
前記タイミングアドバンスの定量値を前記端末に送信するプロセスを実行することに用いられる、基地局。
【請求項２１】
前記プロセッサは、さらに、
前記端末から送信されるＰＲＡＣＨの前記プリアンブルに基づき、追跡エリアに対応する参照タイミングアドバンスを推定するプロセスと、
前記参照タイミングアドバンスと前記サブキャリア間隔配置情報に基づき、前記タイミングアドバンスの定量値を取得するプロセスとを実行することに用いられる、請求項２０に記載の基地局。
【請求項２２】
前記プロセッサは、さらに、
前記サブキャリア間隔配置情報に基づき、タイミングアドバンスの時間定量化単位を取得するプロセスと、
前記参照タイミングアドバンスと前記タイミングアドバンスの時間定量化単位に基づき、前記タイミングアドバンスの定量値を取得するプロセスとを実行することに用いられる、請求項２１に記載の基地局。
【請求項２３】
前記プロセッサは、さらに、
端末に対し配置する１つまたは複数のコンポーネントキャリアを含むタイミングアドバンス群を、端末に対し１つまたは複数配置するプロセスと、
前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位を取得するプロセスとを実行することに用いられる、請求項２２に記載の基地局。
【請求項２４】
前記プロセッサは、さらに、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべてのアップリンク帯域幅部分のすべてのＰＵＳＣＨおよび／またはＰＵＣＣＨのサブキャリア間隔の最大値を取得するプロセスと、
前記サブキャリア間隔の最大値に基づき、前記タイミングアドバンス群に対応するタイミングアドバンスの時間定量化単位を取得するプロセスとを実行することに用いられる、請求項２３に記載の基地局。
【請求項２５】
前記プロセッサは、さらに、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべての活性化状態のアップリンク帯域幅部分のすべてのＰＵＳＣＨおよび／またはＰＵＣＣＨのサブキャリア間隔の最大値を取得するプロセスと、
前記サブキャリア間隔の最大値に基づき、前記タイミングアドバンス群に対応するタイミングアドバンスの時間定量化単位を取得するプロセスとを実行することに用いられる、請求項２３に記載の基地局。
【請求項２６】
前記プロセッサは、さらに、
前記サブキャリア間隔配置情報のうちのサブキャリア間隔と前記タイミングアドバンスの時間定量化単位との予め形成された対応関係では、前記サブキャリア間隔の最大値Ｓに対応する前記タイミングアドバンスの時間定量化単位Ｎをサーチするプロセスを実行することに用いられる、請求項２４または２５に記載の基地局。
【請求項２７】
前記プロセッサは、さらに、
前記参照タイミングアドバンスＴとサンプリング間隔との比に基づき、目標変換値Ｍを特定するプロセスと、
前記目標変換値Ｍと前記タイミングアドバンスの時間定量化単位Ｎに基づき、タイミングアドバンスの定量値Ｋを特定するプロセスとを実行することに用いられる、請求項２２に記載の基地局。
【請求項２８】
前記プロセッサは、さらに、
第１所定公式Ｋ＝Ｍ／Ｎで計算し、前記タイミングアドバンスの定量値Ｋを取得するプロセスを実行することに用いられる、請求項２７に記載の基地局。
【請求項２９】
前記トランシーバは、さらに、
前記タイミングアドバンスの定量値が付帯されたランダムアクセス応答メッセージを前記端末に送信するプロセスを実行することに用いられる、請求項２０に記載の基地局。
【請求項３０】
プログラムが記憶されているコンピュータ読み取り可能な記憶媒体であって、
前記プログラムがプロセッサによって実行されると、請求項１〜１０のいずれか一項に記載のタイミングアドバンス指示方法のことが実現される、コンピュータ読み取り可能な記憶媒体。
【請求項３１】
基地局に応用されるタイミングアドバンス指示装置において、
ＰＵＳＣＨおよび／またはＰＵＣＣＨのサブキャリア間隔配置情報を端末に送信するための第１送信モジュールと、
前記端末から前記サブキャリア間隔配置情報に基づいてフィードバックされるプリアンブルを受信するための第１受信モジュールと、
前記プリアンブルに基づき、追跡エリアに対応するタイミングアドバンスの定量値を取得するための取得モジュールと、
前記タイミングアドバンスの定量値を前記端末に送信するための第２送信モジュールと、
を含む、タイミングアドバンス指示装置。
【請求項３２】
トランシーバと、メモリと、プロセッサと、前記メモリに記憶されて前記プロセッサで実行可能なプログラムを含む端末において、
前記プロセッサは、メモリからプログラムを読み取ることによって、
基地局から送信されるＰＵＳＣＨおよび／またはＰＵＣＣＨのサブキャリア間隔配置情報を受信するプロセスと、
前記サブキャリア間隔配置情報に基づき、プリアンブルを前記基地局にフィードバックするプロセスと、
前記プリアンブルに基づいて取得される追跡エリアに対応するタイミングアドバンスの定量値を前記基地局から受信するプロセスとを、前記トランシーバに実行させることに用いられ、
前記プロセッサは、
前記タイミングアドバンスの定量値と前記サブキャリア間隔配置情報に基づき、目標タイミングアドバンスを特定してアップリンクタイミング調整を行うプロセスを実行することに用いられる、端末。
【請求項３３】
前記トランシーバは、さらに、
受信した前記サブキャリア間隔配置情報に基づき、ＰＲＡＣＨの前記プリアンブルを前記基地局にフィードバックすることに用いられる、請求項３２に記載の端末。
【請求項３４】
前記トランシーバは、さらに、
前記タイミングアドバンスの定量値が付帯されるランダムアクセス応答メッセージを前記基地局から受信し、前記タイミングアドバンスの定量値を取得することに用いられる、請求項３２に記載の端末。
【請求項３５】
前記プロセッサは、さらに、
前記サブキャリア間隔配置情報に基づき、タイミングアドバンスの時間定量化単位Ｎを取得するプロセスと、
前記タイミングアドバンスの時間定量化単位Ｎと前記タイミングアドバンスの定量値Ｋに基づき、前記目標タイミングアドバンスＦを特定するプロセスと、
前記目標タイミングアドバンスＦに基づき、アップリンクタイミング調整を行うプロセスとを実行することに用いられる、請求項３２に記載の端末。
【請求項３６】
前記プロセッサは、さらに、
基地局から端末に対し配置する１つまたは複数のタイミングアドバンス群を特定するプロセスと、
ここで、各々の前記タイミングアドバンス群には、端末に対し配置する１つまたは複数のコンポーネントキャリアを含み、
前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位Ｎを取得するプロセスとを実行することに用いられる、請求項３５に記載の端末。
【請求項３７】
前記プロセッサは、さらに、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべてのアップリンク帯域幅部分のすべてのＰＵＳＣＨおよび／またはＰＵＣＣＨのサブキャリア間隔の最大値を取得するプロセスと、
前記サブキャリア間隔の最大値に基づき、前記タイミングアドバンス群に対応するタイミングアドバンスの時間定量化単位Ｎを取得するプロセスとを実行することに用いられる、請求項３６に記載の端末。
【請求項３８】
前記プロセッサは、さらに、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべての活性化状態のアップリンク帯域幅部分のすべてのＰＵＳＣＨおよび／またはＰＵＣＣＨのサブキャリア間隔の最大値を取得するプロセスと、
前記サブキャリア間隔の最大値に基づき、前記タイミングアドバンス群に対応するタイミングアドバンスの時間定量化単位を取得するプロセスとを実行することに用いられる、請求項３６に記載の端末。
【請求項３９】
前記プロセッサは、さらに、
前記サブキャリア間隔配置情報のうちのサブキャリア間隔と前記タイミングアドバンスの時間定量化単位との予め形成された対応関係では、前記サブキャリア間隔の最大値Ｓに対応する前記タイミングアドバンスの時間定量化単位Ｎをサーチするプロセスを実行することに用いられる、請求項３７または３８に記載の端末。
【請求項４０】
前記プロセッサは、さらに、
第２所定公式Ｆ＝Ｎ＊Ｋで計算し、前記目標タイミングアドバンスＦを取得するプロセスを実行することに用いられる、請求項３５に記載の端末。
【請求項４１】
プログラムが記憶されているコンピュータ読み取り可能な記憶媒体であって、
前記プログラムがプロセッサによって実行されると、請求項１１〜１９のいずれか一項に記載のタイミングアドバンス指示方法のことが実現される、コンピュータ読み取り可能な記憶媒体。
【請求項４２】
端末に応用されるタイミングアドバンス指示装置において、
基地局から送信されるＰＵＳＣＨおよび／またはＰＵＣＣＨのサブキャリア間隔配置情報を受信するための第２受信モジュールと、
前記サブキャリア間隔配置情報に基づき、プリアンブルを前記基地局にフィードバックするためのフィードバックモジュールと、
前記プリアンブルに基づいて取得される追跡エリアに対応するタイミングアドバンスの定量値を前記基地局から受信するための第３受信モジュールと、
前記タイミングアドバンスの定量値と前記サブキャリア間隔配置情報に基づき、目標タイミングアドバンスを特定してアップリンクタイミング調整を行うための処理モジュールと、
を含む、タイミングアドバンス指示装置。
【発明の詳細な説明】
【技術分野】
【０００１】
本開示は、通信技術分野に係り、特にタイミングアドバンス指示方法、基地局、端末および装置に係る。
＜優先権の主張＞
本願は、２０１７年９月１１日に中国特許庁に提出された中国特許出願２０１７１０８１４５２２．９の優先権、および、２０１７年１０月２７日に中国特許庁に提出された中国特許出願２０１７１１０３０２９４．２の優先権を主張し、その全ての内容が援用によりここに取り込まれる。
【背景技術】
【０００２】
ＬＴＥ（Ｌｏｎｇ  Ｔｅｒｍ  Ｅｖｏｌｕｔｉｏｎ）において、すべてのダウンリンク／アップリンクの制御チャネル、データチャネルおよび参照信号では、同じ１５ｋＨｚのサブキャリア間隔が用いられる。また、各ＰＲＡＣＨ（Ｐｈｙｓｉｃａｌ  Ｒａｎｄｏｍ  Ａｃｃｅｓｓ  Ｃｈａｎｎｅｌ）のプリアンブル（ｐｒｅａｍｂｌｅ）フォーマットは、１種類のＳＣＳ（ｓｕｂｃａｒｒｉｅｒ  ｓｐａｃｉｎｇ）しかサポートしない。たとえば、プリアンブルフォーマット０〜３にサポートされるサブキャリア間隔は、１．２５ｋＨｚであり、プリアンブルフォーマット４にサポートされるサブキャリア間隔は、７．５ｋＨｚである。
【０００３】
ＬＴＥとは異なり、５Ｇ  ＮＲ（Ｎｅｗ  Ｒａｄｉｏ）のアップリンク／ダウンリンクの制御チャネル、データチャネルおよび参照信号では、同じでないサブキャリア間隔の使用が可能である。同時に、ＮＲの各プリアンブルフォーマットも、複数のサブキャリア間隔をサポートする。
【０００４】
隣接サブフレームまたは隣接サブキャリアで伝送するＵＥ（Ｕｓｅｒ  Ｅｑｕｉｐｍｅｎｔ）同士の相互干渉を避けるために、ＵＥは、ダウンリンク同期の完成後に、ＢＳ（Ｂａｓｅ  Ｓｔａｔｉｏｎ）から提供されるタイミングアドバンスを利用し、アップリンク伝送の時間を前倒しする必要がある。その目的として、セル中の異なるＵＥからのアップリンク伝送信号が基地局の受信機では時間整合であることを確保し、アップリンク同期を実現してアップリンク直交性を維持することである。ＢＳは、ＵＥのＰＲＡＣＨのプリアンブルを受信すると、当該アクセスプリアンブルから、当該ＵＥに必要される初期ＴＡ（Ｔｉｍｉｎｇ  Ａｄｖａｎｃｅ）を推定する。それから、ＢＳは、ＴＡをＲＡＲ（Ｒａｎｄｏｍ  Ａｃｃｅｓｓ  Ｒｅｓｐｏｎｓｅ）メッセージに含ませてＵＥに配信する。
【０００５】
ＬＴＥでは、ＲＡＲに含まれるＴＡは、計１１ビット（ｂｉｔ）を有し、１６Ｔｓを時間定量化単位（定量化間隔とも称される）とする。各Ｔｓが１／（３０７２００００）秒であり、１６のＴｓは、大体０．５２μｓである。ＬＴＥで１６Ｔｓ（０．５２μｓ）を時間定量化単位とするのは、ＬＴＥのＣＰ（ｃｙｃｌｉｃ  ｐｒｅｆｉｘ）長、ＢＳのＰＲＡＣＨのプリアンブルのアップリンクタイミングオフセット推定精度、およびＵＥによるダウンリンク参照信号のタイミング推定精度を考慮したからである。ＬＴＥでＴＡを１１ビットとするのは、ＬＴＥで最大セル半径が少なくとも１００ｋｍより大きくなることを考慮したからである。１１ビットは、対応する時間範囲が０〜１．０６６ｍｓであり、最大セル半径が１６０ｋｍであることに対応し、ＬＴＥ  ＰＲＡＣＨフォーマットにサポートされる最大セル半径の１２０ｋｍより大きい。
【０００６】
ＬＴＥとは異なり、ＮＲの各プリアンブルフォーマットは、複数のサブキャリア間隔をサポートする。１種類のプリアンブルフォーマットに対し、異なるサブキャリア間隔にサポートされる最大セル半径が異なることを考慮したからである。また、ＰＵＳＣＨ（Ｐｈｙｓｉｃａｌ  Ｕｐｌｉｎｋ  Ｓｈａｒｅｄ  Ｃｈａｎｎｅｌ）および／またはＰＵＣＣＨ（Ｐｈｙｓｉｃａｌ  Ｕｐｌｉｎｋ  Ｃｏｎｔｒｏｌ  Ｃｈａｎｎｅｌ）の伝送では、異なるサブキャリア間隔およびＣＰの使用が可能である。ランダムアクセスのプリアンブルの長さが同じである場合では、ランダムアクセスシーケンスのサブキャリア間隔が大きくなると、アップリンクタイミングオフセットの推定精度が高くなる。
【０００７】
これに類似し、ＰＵＳＣＨおよび／またはＰＵＣＣＨのサブキャリア間隔が大きくなる場合では、ＰＵＳＣＨおよび／またはＰＵＣＣＨのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの時間的長さとＣＰウィンドウが小さくなる。アップリンク伝送信号に対し、基地局の受信機では時間整合要件も対応的に大きくなる。いずれもＴＡの時間定量化単位の選択に影響を与える。
【発明の概要】
【０００８】
本開示の実施例は、基地局に応用されるタイミングアドバンス指示方法を提供する。当該方法において、
ＰＵＳＣＨおよび／またはＰＵＣＣＨのサブキャリア間隔配置情報を端末に送信することと、
前記端末から前記サブキャリア間隔配置情報に基づいてフィードバックされるプリアンブルを受信することと、
前記プリアンブルに基づき、追跡エリアに対応するタイミングアドバンスの定量値を取得することと、
前記タイミングアドバンスの定量値を前記端末に送信することと、
を含む。
【０００９】
選択可能に、前記プリアンブルに基づき、追跡エリアに対応するタイミングアドバンスの定量値を取得することは、
前記端末から送信されるＰＲＡＣＨの前記プリアンブルに基づき、追跡エリアに対応する参照タイミングアドバンスを推定することと、
前記参照タイミングアドバンスと前記サブキャリア間隔配置情報に基づき、前記タイミングアドバンスの定量値を取得することとを含む。
【００１０】
選択可能に、前記参照タイミングアドバンスと前記サブキャリア間隔配置情報に基づき、前記タイミングアドバンスの定量値を取得することは、
前記サブキャリア間隔配置情報に基づき、タイミングアドバンスの時間定量化単位を取得することと、
前記参照タイミングアドバンスと前記タイミングアドバンスの時間定量化単位に基づき、前記タイミングアドバンスの定量値を取得することとを含む。
【００１１】
選択可能に、前記の前記サブキャリア間隔配置情報に基づき、タイミングアドバンスの時間定量化単位を取得する前に、
前記方法では、端末に対し配置する１つまたは複数のコンポーネントキャリアを含むタイミングアドバンス群を、端末に対し１つまたは複数配置することをさらに含み、
前記の前記サブキャリア間隔配置情報に基づき、タイミングアドバンスの時間定量化単位を取得することは、
前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位を取得することを含む。
【００１２】
選択可能に、前記の前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位を取得することは、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべてのアップリンク帯域幅部分のすべてのＰＵＳＣＨおよび／またはＰＵＣＣＨのサブキャリア間隔の最大値を取得することと、
前記サブキャリア間隔の最大値に基づき、前記タイミングアドバンス群に対応するタイミングアドバンスの時間定量化単位を取得することとを含む。
【００１３】
選択可能に、前記の前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位を取得することは、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべての活性化状態のアップリンク帯域幅部分のすべてのＰＵＳＣＨおよび／またはＰＵＣＣＨのサブキャリア間隔の最大値を取得することと、
前記サブキャリア間隔の最大値に基づき、前記タイミングアドバンス群に対応するタイミングアドバンスの時間定量化単位を取得することとを含む。
【００１４】
選択可能に、前記サブキャリア間隔の最大値に基づき、前記タイミングアドバンス群に対応するタイミングアドバンスの時間定量化単位を取得することは、
前記サブキャリア間隔配置情報のうちのサブキャリア間隔と前記タイミングアドバンスの時間定量化単位との予め形成された対応関係では、前記サブキャリア間隔の最大値Ｓに対応する前記タイミングアドバンスの時間定量化単位Ｎをサーチすることを含む。
【００１５】
選択可能に、前記参照タイミングアドバンスと前記タイミングアドバンスの時間定量化単位に基づき、前記タイミングアドバンスの定量値を取得することは、
前記参照タイミングアドバンスＴとサンプリング間隔との比に基づき、目標変換値Ｍを特定することと、
前記目標変換値Ｍと前記タイミングアドバンスの時間定量化単位Ｎに基づき、タイミングアドバンスの定量値Ｋを特定することとを含む。
【００１６】
選択可能に、前記目標変換値Ｍと前記タイミングアドバンスの時間定量化単位Ｎに基づき、タイミングアドバンスの定量値Ｋを特定することは、
第１所定公式Ｋ＝Ｍ／Ｎで計算し、前記タイミングアドバンスの定量値Ｋを取得することを含む。
【００１７】
選択可能に、前記タイミングアドバンスの定量値を前記端末に送信することは、
前記タイミングアドバンスの定量値が付帯されたランダムアクセス応答メッセージを前記端末に送信することを含む。
【００１８】
本開示の実施例は、端末に応用されるタイミングアドバンス指示方法をさらに提供する。当該方法において、
基地局から送信されるＰＵＳＣＨおよび／またはＰＵＣＣＨのサブキャリア間隔配置情報を受信することと、
前記サブキャリア間隔配置情報に基づき、プリアンブルを前記基地局にフィードバックすることと、
前記プリアンブルに基づいて取得される追跡エリアに対応するタイミングアドバンスの定量値を前記基地局から受信することと、
前記タイミングアドバンスの定量値と前記サブキャリア間隔配置情報に基づき、目標タイミングアドバンスを特定してアップリンクタイミング調整を行うことと、
を含む。
【００１９】
選択可能に、前記サブキャリア間隔配置情報に基づき、プリアンブルを前記基地局にフィードバックすることは、
受信した前記サブキャリア間隔配置情報に基づき、ＰＲＡＣＨの前記プリアンブルを前記基地局にフィードバックすることを含む。
【００２０】
選択可能に、前記プリアンブルに基づいて取得される追跡エリアに対応するタイミングアドバンスの定量値を前記基地局から受信することは、
前記タイミングアドバンスの定量値が付帯されるランダムアクセス応答メッセージを前記基地局から受信し、前記タイミングアドバンスの定量値を取得することを含む。
【００２１】
選択可能に、前記タイミングアドバンスの定量値と前記サブキャリア間隔配置情報に基づき、目標タイミングアドバンスを特定してアップリンクタイミング調整を行うことは、
前記サブキャリア間隔配置情報に基づき、タイミングアドバンスの時間定量化単位Ｎを取得することと、
前記タイミングアドバンスの時間定量化単位Ｎと前記タイミングアドバンスの定量値Ｋに基づき、前記目標タイミングアドバンスＦを特定することと、
前記目標タイミングアドバンスＦに基づき、アップリンクタイミング調整を行うこととを含む。
【００２２】
選択可能に、前記の前記サブキャリア間隔配置情報に基づき、タイミングアドバンスの時間定量化単位Ｎを取得する前に、
前記方法では、基地局から端末に対し配置する１つまたは複数のタイミングアドバンス群を特定することをさらに含み、
ここで、各々の前記タイミングアドバンス群には、端末に対し配置する１つまたは複数のコンポーネントキャリアを含み、
前記の前記サブキャリア間隔配置情報に基づき、タイミングアドバンスの時間定量化単位Ｎを取得することは、
前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位Ｎを取得することを含む。
【００２３】
選択可能に、前記の前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位Ｎを取得することは、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべてのアップリンク帯域幅部分のすべてのＰＵＳＣＨおよび／またはＰＵＣＣＨのサブキャリア間隔の最大値を取得することと、
前記サブキャリア間隔の最大値に基づき、前記タイミングアドバンス群に対応するタイミングアドバンスの時間定量化単位Ｎを取得することとを含む。
【００２４】
選択可能に、前記の前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位Ｎを取得することは、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべての活性化状態のアップリンク帯域幅部分のすべてのＰＵＳＣＨおよび／またはＰＵＣＣＨのサブキャリア間隔の最大値を取得することと、
前記サブキャリア間隔の最大値に基づき、前記タイミングアドバンス群に対応するタイミングアドバンスの時間定量化単位を取得することとを含む。
【００２５】
選択可能に、前記の前記サブキャリア間隔の最大値に基づき、前記タイミングアドバンス群に対応するタイミングアドバンスの時間定量化単位を取得することは、
前記サブキャリア間隔配置情報のうちのサブキャリア間隔と前記タイミングアドバンスの時間定量化単位との予め形成された対応関係では、前記サブキャリア間隔の最大値Ｓに対応する前記タイミングアドバンスの時間定量化単位Ｎをサーチすることを含む。
【００２６】
選択可能に、前記タイミングアドバンスの時間定量化単位Ｎと前記タイミングアドバンスの定量値Ｋに基づき、前記目標タイミングアドバンスＦを特定することは、
第２所定公式Ｆ＝Ｎ＊Ｋで計算し、前記目標タイミングアドバンスＦを取得することを含む。
【００２７】
本開示の実施例は、トランシーバと、メモリと、プロセッサと、前記メモリに記憶されて前記プロセッサで実行可能なプログラムを含む基地局をさらに提供する。当該基地局において、
前記プロセッサは、メモリからプログラムを読み取ることによって、
ＰＵＳＣＨおよび／またはＰＵＣＣＨのサブキャリア間隔配置情報を端末に送信するプロセスと、
前記端末から前記サブキャリア間隔配置情報に基づいてフィードバックされるプリアンブルを受信するプロセスとを、前記トランシーバに実行させることに用いられ、
前記プロセッサは、
前記プリアンブルに基づき、追跡エリアに対応するタイミングアドバンスの定量値を取得するプロセスを実行することに用いられ、
前記トランシーバは、さらに、
前記タイミングアドバンスの定量値を前記端末に送信するプロセスを実行することに用いられる。
【００２８】
選択可能に、前記プロセッサは、さらに、
前記端末から送信されるＰＲＡＣＨの前記プリアンブルに基づき、追跡エリアに対応する参照タイミングアドバンスを推定するプロセスと、
前記参照タイミングアドバンスと前記サブキャリア間隔配置情報に基づき、前記タイミングアドバンスの定量値を取得するプロセスとを実行することに用いられる。
【００２９】
選択可能に、前記プロセッサは、さらに、
前記サブキャリア間隔配置情報に基づき、タイミングアドバンスの時間定量化単位を取得するプロセスと、
前記参照タイミングアドバンスと前記タイミングアドバンスの時間定量化単位に基づき、前記タイミングアドバンスの定量値を取得するプロセスとを実行することに用いられる。
【００３０】
選択可能に、前記プロセッサは、さらに、
端末に対し配置する１つまたは複数のコンポーネントキャリアを含むタイミングアドバンス群を、端末に対し１つまたは複数配置するプロセスと、
前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位を取得するプロセスとを実行することに用いられる。
【００３１】
選択可能に、前記プロセッサは、さらに、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべてのアップリンク帯域幅部分のすべてのＰＵＳＣＨおよび／またはＰＵＣＣＨのサブキャリア間隔の最大値を取得するプロセスと、
前記サブキャリア間隔の最大値に基づき、前記タイミングアドバンス群に対応するタイミングアドバンスの時間定量化単位を取得するプロセスとを実行することに用いられる。
【００３２】
選択可能に、前記プロセッサは、さらに、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべての活性化状態のアップリンク帯域幅部分のすべてのＰＵＳＣＨおよび／またはＰＵＣＣＨのサブキャリア間隔の最大値を取得するプロセスと、
前記サブキャリア間隔の最大値に基づき、前記タイミングアドバンス群に対応するタイミングアドバンスの時間定量化単位を取得するプロセスとを実行することに用いられる。
【００３３】
選択可能に、前記プロセッサは、さらに、
前記サブキャリア間隔配置情報のうちのサブキャリア間隔と前記タイミングアドバンスの時間定量化単位との予め形成された対応関係では、前記サブキャリア間隔の最大値Ｓに対応する前記タイミングアドバンスの時間定量化単位Ｎをサーチするプロセスを実行することに用いられる。
【００３４】
選択可能に、前記プロセッサは、さらに、
前記参照タイミングアドバンスＴとサンプリング間隔との比に基づき、目標変換値Ｍを特定するプロセスと、
前記目標変換値Ｍと前記タイミングアドバンスの時間定量化単位Ｎに基づき、タイミングアドバンスの定量値Ｋを特定するプロセスとを実行することに用いられる。
【００３５】
選択可能に、前記プロセッサは、さらに、
第１所定公式Ｋ＝Ｍ／Ｎで計算し、前記タイミングアドバンスの定量値Ｋを取得するプロセスを実行することに用いられる。
【００３６】
選択可能に、前記トランシーバは、さらに、
前記タイミングアドバンスの定量値が付帯されたランダムアクセス応答メッセージを前記端末に送信するプロセスを実行することに用いられる。
【００３７】
本開示の実施例は、プログラムが記憶されているコンピュータ読み取り可能な記憶媒体をさらに提供する。当該記憶媒体において、
前記プログラムがプロセッサによって実行されると、上記のタイミングアドバンス指示方法のことが実現される。
【００３８】
本開示の実施例は、基地局に応用されるタイミングアドバンス指示装置をさらに提供する。前記装置は、
ＰＵＳＣＨおよび／またはＰＵＣＣＨのサブキャリア間隔配置情報を端末に送信するための第１送信モジュールと、
前記端末から前記サブキャリア間隔配置情報に基づいてフィードバックされるプリアンブルを受信するための第１受信モジュールと、
前記プリアンブルに基づき、追跡エリアに対応するタイミングアドバンスの定量値を取得するための取得モジュールと、
前記タイミングアドバンスの定量値を前記端末に送信するための第２送信モジュールと、
を含む。
【００３９】
本開示の実施例は、トランシーバと、メモリと、プロセッサと、前記メモリに記憶されて前記プロセッサで実行可能なプログラムを含む端末をさらに提供する。当該端末において、
前記プロセッサは、メモリからプログラムを読み取ることによって、
基地局から送信されるＰＵＳＣＨおよび／またはＰＵＣＣＨのサブキャリア間隔配置情報を受信するプロセスと、
前記サブキャリア間隔配置情報に基づき、プリアンブルを前記基地局にフィードバックするプロセスと、
前記プリアンブルに基づいて取得される追跡エリアに対応するタイミングアドバンスの定量値を前記基地局から受信するプロセスとを、前記トランシーバに実行させることに用いられ、
前記プロセッサは、
前記タイミングアドバンスの定量値と前記サブキャリア間隔配置情報に基づき、目標タイミングアドバンスを特定してアップリンクタイミング調整を行うプロセスを実行することに用いられる。
【００４０】
選択可能に、前記トランシーバは、さらに、
受信した前記サブキャリア間隔配置情報に基づき、ＰＲＡＣＨの前記プリアンブルを前記基地局にフィードバックすることに用いられる。
【００４１】
選択可能に、前記トランシーバは、さらに、
前記タイミングアドバンスの定量値が付帯されるランダムアクセス応答メッセージを前記基地局から受信し、前記タイミングアドバンスの定量値を取得することに用いられる。
【００４２】
選択可能に、前記プロセッサは、さらに、
前記サブキャリア間隔配置情報に基づき、タイミングアドバンスの時間定量化単位Ｎを取得するプロセスと、
前記タイミングアドバンスの時間定量化単位Ｎと前記タイミングアドバンスの定量値Ｋに基づき、前記目標タイミングアドバンスＦを特定するプロセスと、
前記目標タイミングアドバンスＦに基づき、アップリンクタイミング調整を行うプロセスとを実行することに用いられる。
【００４３】
選択可能に、前記プロセッサは、さらに、
基地局から端末に対し配置する１つまたは複数のタイミングアドバンス群を特定するプロセスと、
ここで、各々の前記タイミングアドバンス群には、端末に対し配置する１つまたは複数のコンポーネントキャリアを含み、
前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位Ｎを取得するプロセスとを実行することに用いられる。
【００４４】
選択可能に、前記プロセッサは、さらに、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべてのアップリンク帯域幅部分のすべてのＰＵＳＣＨおよび／またはＰＵＣＣＨのサブキャリア間隔の最大値を取得するプロセスと、
前記サブキャリア間隔の最大値に基づき、前記タイミングアドバンス群に対応するタイミングアドバンスの時間定量化単位Ｎを取得するプロセスとを実行することに用いられる。
【００４５】
選択可能に、前記プロセッサは、さらに、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべての活性化状態のアップリンク帯域幅部分のすべてのＰＵＳＣＨおよび／またはＰＵＣＣＨのサブキャリア間隔の最大値を取得するプロセスと、
前記サブキャリア間隔の最大値に基づき、前記タイミングアドバンス群に対応するタイミングアドバンスの時間定量化単位を取得するプロセスとを実行することに用いられる。
【００４６】
選択可能に、前記プロセッサは、さらに、
前記サブキャリア間隔配置情報のうちのサブキャリア間隔と前記タイミングアドバンスの時間定量化単位との予め形成された対応関係では、前記サブキャリア間隔の最大値Ｓに対応する前記タイミングアドバンスの時間定量化単位Ｎをサーチするプロセスを実行することに用いられる。
【００４７】
選択可能に、前記プロセッサは、さらに、
第２所定公式Ｆ＝Ｎ＊Ｋで計算し、前記目標タイミングアドバンスＦを取得するプロセスを実行することに用いられる。
【００４８】
本開示の実施例は、プログラムが記憶されているコンピュータ読み取り可能な記憶媒体をさらに提供する。当該記憶媒体において、
前記プログラムがプロセッサによって実行されると、上記のタイミングアドバンス指示方法のことが実現される。
【００４９】
本開示の実施例は、端末に応用されるタイミングアドバンス指示装置をさらに提供する。前記装置は、
基地局から送信されるＰＵＳＣＨおよび／またはＰＵＣＣＨのサブキャリア間隔配置情報を受信するための第２受信モジュールと、
前記サブキャリア間隔配置情報に基づき、プリアンブルを前記基地局にフィードバックするためのフィードバックモジュールと、
前記プリアンブルに基づいて取得される追跡エリアに対応するタイミングアドバンスの定量値を前記基地局から受信するための第３受信モジュールと、
前記タイミングアドバンスの定量値と前記サブキャリア間隔配置情報に基づき、目標タイミングアドバンスを特定してアップリンクタイミング調整を行うための処理モジュールと、
を含む。
【図面の簡単な説明】
【００５０】
以下、本開示の実施例の図面を参照しながら、本開示の実施例の技術手段を明確且つ完全的に記載する。明らかに、記載される実施例は、本開示の実施例の一部であり、全てではない。本開示の実施例に基づき、当業者が創造性のある作業をせずに為しえる全ての実施例は、いずれも本開示の保護範囲に属するものである。
【００５１】
【図１】本開示の実施例におけるタイミングアドバンス指示方法の概略図その１である。
【図２】本開示の実施例におけるタイミングアドバンス指示方法の概略図その２である。
【図３】本開示の実施例における基地局の構造図である。
【図４】本開示の実施例におけるタイミングアドバンス指示装置の概略図その１である。
【図５】本開示の実施例における端末の構造図である。
【図６】本開示の実施例におけるタイミングアドバンス指示装置の概略図その２である。
【発明を実施するための形態】
【００５２】
以下、本開示の実施例の図面を参照しながら、本開示の実施例の技術手段を明確且つ完全的に記載する。明らかに、記載される実施例は、本開示の実施例の一部であり、全てではない。本開示の実施例に基づき、当業者が創造性のある作業をせずに為しえる全ての実施例は、いずれも本開示の保護範囲に属するものである。
【００５３】
図１に示すように、本開示の実施例は、基地局に応用されるタイミングアドバンス指示方法を提供する。前記方法において、ステップ１０１〜１０４を含む。
【００５４】
ステップ１０１において、ＰＵＳＣＨおよび／またはＰＵＣＣＨのサブキャリア間隔配置情報を端末に送信する。
【００５５】
まず、基地局は、端末との間で通信接続を実現する必要があり、通信接続が実現されると、自身のシステムで配置を行ってＰＵＳＣＨおよび／またはＰＵＣＣＨのサブキャリア間隔配置情報を生成し、サブキャリア間隔配置情報の生成後に、サブキャリア間隔配置情報を通信接続先の端末に送信する。
【００５６】
サブキャリア間隔配置情報は、１５ｋＨｚ、３０ｋＨｚ、６０ｋＨｚおよび１２０ｋＨｚを含む第１系列のサブキャリア間隔を含み、２４０ｋＨｚを含む第２系列のサブキャリア間隔、４８０ｋＨｚを含む第３系列のサブキャリア間隔を含んでもよい。第１系列のサブキャリア間隔と第２系列のサブキャリア間隔とは、「および／または」の関係であり、第１系列のサブキャリア間隔と第３系列のサブキャリア間隔とは、「および／または」の関係であり、第２系列のサブキャリア間隔と第３系列のサブキャリア間隔とは、「および／または」の関係である。かつサブキャリア間隔に対応するタイミングアドバンスのビット値は、同じであり、すべて所定のビット値である。
【００５７】
サブキャリア間隔配置情報に含まれるサブキャリア間隔に対応するタイミングアドバンスのビット値がすべて同じであり、本開示の実施例では、サブキャリア間隔に対応するタイミングアドバンスのビット値は、１１ビットである。ここで、１１ビットは、基地局から端末に送信されるデータ情報を搬送することに用いられる。
【００５８】
ステップ１０２において、前記端末から前記サブキャリア間隔配置情報に基づいてフィードバックされるプリアンブルを受信する。
【００５９】
基地局から端末にサブキャリア間隔配置情報を送信した後に、端末は、受信したサブキャリア間隔配置情報に基づき、ＰＲＡＣＨのプリアンブルをフィードバックする。基地局は、端末から送信されるプリアンブルを受信し、プリアンブルを受信すると、ステップ１０３を実行する。
【００６０】
ステップ１０３において、前記プリアンブルに基づき、追跡エリアに対応するタイミングアドバンスの定量値を取得する。
【００６１】
基地局は、端末から送信されるプリアンブルを受信すると、プリアンブルに基づき、端末の追跡エリアに対応するタイミングアドバンスの定量値を取得する。具体的に、前記端末から送信されるＰＲＡＣＨのプリアンブルに基づき、追跡エリアに対応する参照タイミングアドバンスを推定し、前記参照タイミングアドバンスと前記サブキャリア間隔配置情報に基づき、前記タイミングアドバンスの定量値を取得する。
【００６２】
基地局は、ＰＲＡＣＨのプリアンブルを受信すると、プリアンブルに基づいて推定し、追跡エリアに対応する参照タイミングアドバンスを取得し、参照タイミングアドバンスを取得すると、参照タイミングアドバンスと、配置されて生成されるサブキャリア間隔配置情報に基づき、タイミングアドバンスの定量値を生成する。
【００６３】
前記追跡エリア（Ｔｒａｃｋｉｎｇ  Ａｒｅａ）は、ＵＥの位置管理を示すことに用いられる。ＵＥがアイドル状態にある場合、基地局は、ＵＥの所在位置（すなわち追跡エリア）に対応する参照タイミングアドバンスを取得可能である。前記の追跡エリアに対応する参照タイミングアドバンスを取得することは、異なるＵＥに対応する参照タイミングアドバンスを取得することである。
【００６４】
本開示の実施例において、前記参照タイミングアドバンスと前記サブキャリア間隔配置情報に基づき、前記タイミングアドバンスの定量値を取得するステップは、
前記サブキャリア間隔配置情報に基づき、タイミングアドバンスの時間定量化単位を取得することと、
前記参照タイミングアドバンスと前記タイミングアドバンスの時間定量化単位に基づき、前記タイミングアドバンスの定量値を取得することと、
を含む。
【００６５】
まず、基地局は、サブキャリア間隔配置情報に基づき、対応するタイミングアドバンスの時間定量化単位を取得する必要があり、タイミングアドバンスの時間定量化単位を取得すると、推定した参照タイミングアドバンスおよびタイミングアドバンスの時間定量化単位に基づき、タイミングアドバンスの定量値を取得する。
【００６６】
本開示の実施例において、前記の前記サブキャリア間隔配置情報に基づき、タイミングアドバンスの時間定量化単位を取得する前に、前記方法では、
端末に対し配置する１つまたは複数のコンポーネントキャリアを含むタイミングアドバンス群を、端末に対し１つまたは複数配置することをさらに含む。
【００６７】
なお、基地局は、あるＲＲＣ接続方式の端末に対し１つまたは複数のコンポーネントキャリアを配置する。これらのコンポーネントキャリアは、同じまたは異なるタイミングアドバンス群ＴＡＧに分けられる。すなわち、基地局は、端末に対し１つまたは複数のタイミングアドバンス群ＴＡＧを配置する。各コンポーネントキャリアに対応するリンクが帯域幅方式で動作し、すなわち、周波数領域で１つまたは複数のダウンリンク帯域幅部分（ＤＬ  ＢＷＰ）および１つまたは複数のアップリンク帯域幅部分（ＵＬ  ＢＷＰ）をセットする。各ＢＷＰは、同じまたは異なるサブキャリア間隔の使用が可能である。
【００６８】
対応的に、前記サブキャリア間隔配置情報に基づき、タイミングアドバンスの時間定量化単位を取得するステップは、前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位を取得することを含む。
【００６９】
本開示の実施例において、１つのタイミングアドバンス群ＴＡＧが１つのタイミングアドバンスの時間定量化単位に対応する。１つのタイミングアドバンス群ＴＡＧに含まれるコンポーネントキャリアのアップリンク帯域幅部分には、ＰＵＳＣＨ／ＰＵＣＣＨの同じまたは異なる複数のサブキャリア間隔を含むため、本開示の具体的な実施例において、各タイミングアドバンス群に対応するタイミングアドバンスの時間定量化単位を以下２種類の方式で特定する。
【００７０】
方式１：前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべてのアップリンク帯域幅部分のすべてのＰＵＳＣＨおよび／またはＰＵＣＣＨのサブキャリア間隔の最大値を取得し、前記サブキャリア間隔の最大値に基づき、前記タイミングアドバンス群に対応するタイミングアドバンスの時間定量化単位を取得する。
【００７１】
なお、タイミングアドバンス群ＴＡＧに含まれるすべてのコンポーネントキャリアは、アップリンクキャリア、ダウンリンクキャリアおよび／またはＳＵＬ（Ｓｕｐｐｌｅｍｅｎｔａｌ  Ｕｐｌｉｎｋ  Ｃａｒｒｉｅｒ）を含む。
【００７２】
当該方式では、アップリンク帯域幅部分が活性化状態にあるか否かにかかわらず、ＴＡＧのうちのすべてのコンポーネントキャリアのすべてのアップリンク帯域幅部分のすべてのＰＵＳＣＨ／ＰＵＣＣＨのサブキャリア間隔からサブキャリア間隔の最大値を選択し、選択したサブキャリア間隔の最大値に対応するタイミングアドバンスの時間定量化単位を、当該ＴＡＧのタイミングアドバンスの時間定量化単位に特定する。表２を参照する。
【００７３】
【表２】
2020533909.tif 000003
【００７４】
方式２：前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべての活性化状態のアップリンク帯域幅部分のすべてのＰＵＳＣＨおよび／またはＰＵＣＣＨのサブキャリア間隔の最大値を取得し、前記サブキャリア間隔の最大値に基づき、前記タイミングアドバンス群に対応するタイミングアドバンスの時間定量化単位を取得する。
【００７５】
なお、タイミングアドバンス群ＴＡＧに含まれるすべてのコンポーネントキャリアは、アップリンクキャリア、ダウンリンクキャリアおよび／またはＳＵＬ（ｓｕｐｐｌｅｍｅｎｔａｌ  ｕｐｌｉｎｋ  ｃａｒｒｉｅｒ）を含む。当該方式では、活性化状態のアップリンク帯域幅部分のみを考慮し、ＴＡＧのうちのすべてのコンポーネントキャリアのすべての活性化状態のアップリンク帯域幅部分のすべてのＰＵＳＣＨ／ＰＵＣＣＨのサブキャリア間隔からサブキャリア間隔の最大値を選択し、選択したサブキャリア間隔の最大値に対応するタイミングアドバンスの時間定量化単位を、当該ＴＡＧのタイミングアドバンスの時間定量化単位に特定する。表３を参照する。
【００７６】
【表３】
2020533909.tif 000004
【００７７】
さらに、基地局は、専用のＲＲＣシグナリングまたはほかのより速い命令（たとえばＬ１シグナリング）によって同時に複数の帯域幅部分ＢＷＰを活性化／非活性化してもよい。
【００７８】
選択可能に、本開示の実施例において、前記サブキャリア間隔の最大値に基づき、前記タイミングアドバンス群に対応するタイミングアドバンスの時間定量化単位を取得するステップは、前記サブキャリア間隔配置情報のうちのサブキャリア間隔と前記タイミングアドバンスの時間定量化単位との予め形成された対応関係では、前記サブキャリア間隔の最大値Ｓに対応する前記タイミングアドバンスの時間定量化単位Ｎをサーチすることを含む。
【００７９】
つまり、本開示の上記実施例において、各タイミングアドバンス群に対応するタイミングアドバンスの時間定量化単位の２種類の特定方式は、基地局からＲＲＣ接続方式の端末に対し１つまたは複数のＴＡＧを配置すること、各ＴＡＧに１つまたは複数のコンポーネントキャリアを有すること、および、各コンポーネントキャリアには、１つまたは複数のＤＬ  ＢＷＰとＵＬ  ＢＷＰが配置されることにかかわらず、いずれも有効である。
【００８０】
さらに、ＴＡＧで配置されたすべてのＵＬ  ＢＷＰについて、そのサブキャリア間隔が端末にとって既知であるため、明確なシグナリングによって、当該ＴＡＧのタイミングアドバンスの時間定量化単位を端末に通知する必要がなく、シグナリングオーバヘッドを効果的に節約することができる。かつ上記２種類の方式で特定されるタイミングアドバンスの時間定量化単位が、各ＴＡＧで配置されたすべてのＵＬ  ＢＷＰに必要される粒子度のうち最適であるため、特定されたタイミングアドバンスの時間定量化単位は、当該ＴＡＧで配置されたすべてのＵＬ  ＢＷＰのＵＬ同期要件を満たすことができる。かつ端末に対し、任意の数のタイミングアドバンス群、任意の数のアップリンク／ダウンリンクのコンポーネントキャリア、任意の数の配置されまたは活性化されたＤＬ／ＵＬ  ＢＷＰを配置可能であるため、その実現方式が簡単であり、システムの制限を受けない。
【００８１】
ここで、サブキャリア間隔と前記タイミングアドバンスの時間定量化単位との対応関係は、表２または表３に示されている。サブキャリア間隔の最大値Ｓに基づき、対応関係から、それに対応するタイミングアドバンスの時間定量化単位Ｎを特定する。本開示の実施例において、サブキャリア間隔配置情報に含まれる第１系列のサブキャリア間隔は、１５ｋＨｚ、３０ｋＨｚ、６０ｋＨｚおよび１２０ｋＨｚであり、第２系列のサブキャリア間隔配置情報は、２４０ｋＨｚであり、第３系列のサブキャリア間隔配置情報は、４８０ｋＨｚである。ここで、サブキャリア間隔の最大値Ｓとタイミングアドバンスの時間定量化単位Ｎとの対応関係として、サブキャリア間隔の最大値Ｓが１５＊２ｎｋＨｚであると、タイミングアドバンスの時間定量化単位Ｎは、１６＊６４＊２−ｎＴｓである。ここで、Ｔｓは、サンプリング間隔であり、１／（６４＊３０７２００００）秒に定義される。第１系列のサブキャリア間隔の場合、ｎの値は、０、１、２または３であり、第２系列のサブキャリア間隔の場合、ｎの値は、４であり、第３系列のサブキャリア間隔の場合、ｎの値は、５である。
【００８２】
サブキャリア間隔が１５ｋＨｚであると、１５＊２ｎｋＨｚで対応するｎの値は、０である。サブキャリア間隔の最大値Ｓとタイミングアドバンスの時間定量化単位Ｎとの対応関係から、ｎが０であると、１６＊６４＊２−ｎＴｓでｎの値も０である。この場合、タイミングアドバンスの時間定量化単位Ｎは、１６＊６４Ｔｓである。サブキャリア間隔が３０ｋＨｚであると、１５＊２ｎｋＨｚで対応するｎの値は、１である。サブキャリア間隔の最大値Ｓとタイミングアドバンスの時間定量化単位Ｎとの対応関係から、ｎが１であると、１６＊６４＊２−ｎＴｓでｎの値も１である。この場合、タイミングアドバンスの時間定量化単位Ｎは、８＊６４Ｔｓである。対応的に、サブキャリア間隔が６０ｋＨｚであると、１５＊２ｎｋＨｚで対応するｎの値は、２である。サブキャリア間隔の最大値Ｓとタイミングアドバンスの時間定量化単位Ｎとの対応関係から、ｎが２であると、１６＊６４＊２−ｎＴｓでｎの値も２である。この場合、タイミングアドバンスの時間定量化単位Ｎは、４＊６４Ｔｓである。１２０ｋＨｚ、２４０ｋＨｚおよび４８０ｋＨｚの場合について、ここでは枚挙しない。
【００８３】
ここで、サブキャリア間隔の最大値Ｓとタイミングアドバンスの時間定量化単位Ｎとの対応関係は、予め規定される。以下、具体的な規定プロセスを記載する。サブキャリア間隔が１５ｋＨｚであると、ＮＲのタイミングアドバンスの時間定量化単位の選択は、ＬＴＥのタイミングアドバンスの時間定量化単位に基づいて決められ、すなわち１６／（３０７２００００）秒である。ＮＲでは、各Ｔｓは、１／（６４＊３０７２００００）秒に定義される。すると、サブキャリア間隔が１５ｋＨｚであると、ＮＲのタイミングアドバンスの時間定量化単位は、１６＊６４Ｔｓである。サブキャリア間隔が３０ｋＨｚであると、ＰＵＣＣＨおよび／またはＰＵＳＣＨのＣＰとＯＦＤＭシンボルの時間間隔が半分まで減少し、アップリンクタイミング調整のタイミングアドバンスの正確性および精度が１倍増加する。すると、サブキャリア間隔が３０ｋＨｚであると、ＮＲのタイミングアドバンスの時間定量化単位は、８＊６４Ｔｓである。すなわち、この場合に対応するタイミングアドバンスの時間定量化単位は、１５ｋＨｚの場合に対応するタイミングアドバンスの時間定量化単位の半分である。同様の原則によって、ＰＵＣＣＨおよび／またはＰＵＳＣＨのサブキャリア間隔が６０ｋＨｚであると、ＮＲのタイミングアドバンスの時間定量化単位が４＊６４Ｔｓであり、ＰＵＣＣＨおよび／またはＰＵＳＣＨのサブキャリア間隔が１２０ｋＨｚであると、ＮＲのタイミングアドバンスの時間定量化単位が２＊６４Ｔｓであり、ＰＵＣＣＨおよび／またはＰＵＳＣＨのサブキャリア間隔が２４０ｋＨｚであると、ＮＲのタイミングアドバンスの時間定量化単位が６４Ｔｓであり、ＰＵＣＣＨおよび／またはＰＵＳＣＨのサブキャリア間隔が４８０ｋＨｚであると、ＮＲのタイミングアドバンスの時間定量化単位が０．５＊６４Ｔｓであると特定できる。
【００８４】
上記のプロセスをまとめると、サブキャリア間隔の最大値Ｓとタイミングアドバンスの時間定量化単位Ｎとの対応関係を特定可能であり、すなわち第１系列のサブキャリア間隔の場合、サブキャリア間隔の最大値Ｓが１５＊２ｎｋＨｚであると、タイミングアドバンスの時間定量化単位Ｎは、１６＊６４＊２−ｎＴｓであり、ｎの値が０、１、２または３である。第２系列のサブキャリア間隔の場合、サブキャリア間隔の最大値Ｓが１５＊２ｎｋＨｚであると、タイミングアドバンスの時間定量化単位Ｎは、１６＊６４＊２−ｎＴｓであり、ｎの値が４である。第３系列のサブキャリア間隔の場合、サブキャリア間隔の最大値Ｓが１５＊２ｎｋＨｚであると、タイミングアドバンスの時間定量化単位Ｎは、１６＊６４＊２−ｎＴｓであり、ｎの値が５である。
【００８５】
基地局は、サブキャリア間隔の最大値Ｓに対応するタイミングアドバンスの時間定量化単位Ｎとの対応関係を取得する必要があると、上記対応関係をサーチし、必要とするタイミングアドバンスの時間定量化単位Ｎを取得する。
【００８６】
タイミングアドバンスの時間定量化単位を取得すると、前記参照タイミングアドバンスと前記タイミングアドバンスの時間定量化単位に基づき、前記タイミングアドバンスの定量値を取得するステップは、前記参照タイミングアドバンスＴとサンプリング間隔との比に基づき、目標変換値Ｍを特定することと、前記目標変換値Ｍと前記タイミングアドバンスの時間定量化単位Ｎに基づき、タイミングアドバンスの定量値Ｋを特定することとを含む。
【００８７】
まず、取得した参照タイミングアドバンスＴを変換して目標変換値を取得する。変換の際に、ＮＲに対応するサンプリング間隔Ｔｓを用いる必要がある。ＮＲでは、各Ｔｓは、１／（６４＊３０７２００００）秒に定義される。対応する変換プロセスとして、参照タイミングアドバンスＴとＴｓとの比を算出し、得られた比の値を目標変換値Ｍに特定すると、取得される目標変換値Ｍに対応する単位は、Ｔｓである。
【００８８】
ここで、基地局は、参照タイミングアドバンスＴに対応する目標変換値Ｍ、サブキャリア間隔の最大値Ｓに対応するタイミングアドバンスの時間定量化単位Ｎを取得すると、前記目標変換値Ｍと前記タイミングアドバンスの時間定量化単位Ｎに基づき、タイミングアドバンスの定量値Ｋを特定する。具体的に、第１所定公式Ｋ＝Ｍ／Ｎで計算し、サブキャリア間隔の最大値Ｓに対応するタイミングアドバンスの定量値Ｋを取得する。
【００８９】
すなわち目標変換値Ｍとタイミングアドバンスの時間定量化単位Ｎとの比を算出し、算出した比の値を、サブキャリア間隔の最大値Ｓに対応するタイミングアドバンスの定量値Ｋに特定する。ここで、目標変換値Ｍは、決まられたものであるが、サブキャリア間隔の最大値Ｓに対応するタイミングアドバンスの時間定量化単位Ｎは、サブキャリア間隔の変化に応じて異なる。サブキャリア間隔の最大値Ｓに対応するタイミングアドバンスの時間定量化単位Ｎが大きいほど、対応するタイミングアドバンスの定量値Ｋは、小さくなる。
【００９０】
たとえば、参照タイミングアドバンスＴが１００μｓであり、１００μｓを変換して対応する目標変換値Ｍを得る。変換のプロセスとして、まず１００μｓを１／１００００ｓに変換する。各Ｔｓが１／（６４＊３０７２００００）に定義されるため、目標変換値Ｍは、１／１００００ｓとＴｓの比であり、得られる目標変換値Ｍが１９６６０８Ｔｓであると特定する。
【００９１】
サブキャリア間隔が１５ｋＨｚであると、ＮＲのタイミングアドバンスの時間定量化単位は、１６＊６４Ｔｓである。すると、１５ｋＨｚのサブキャリア間隔の最大値Ｓに対応するタイミングアドバンスの定量値Ｋは、１９６６０８Ｔｓ／（１６＊６４Ｔｓ）＝１９２であり、得られる基地局から端末に送信されるタイミングアドバンスの定量値Ｋは、１９２である。サブキャリア間隔が３０ｋＨｚであると、ＮＲのタイミングアドバンスの時間定量化単位は、８＊６４Ｔｓである。すると、３０ｋＨｚのサブキャリア間隔の最大値Ｓに対応するタイミングアドバンスの定量値Ｋは、１９６６０８Ｔｓ／（８＊６４Ｔｓ）＝３８４であり、得られる基地局から端末に送信されるタイミングアドバンスの定量値Ｋは、３８４である。
【００９２】
なお、異なるサブキャリア間隔にサポートされる最大セル半径が異なる。本開示の実施例において、各前記サブキャリア間隔に対応するタイミングアドバンスのビット値が異なり、かつ所定のビット値であり、ここの所定のビット値が１１ビットである。以下、タイミングアドバンスのビット値を１１ビットに特定するプロセスを記載する。
【００９３】
ＮＲの各プリアンブルフォーマットは、複数のサブキャリア間隔をサポートする。１種類のプリアンブルフォーマットに対し、異なるサブキャリア間隔にサポートされる最大セル半径が異なる。ＮＲのタイミングアドバンスのビット数を選択する際に、各サブキャリア間隔では、すべてのプリアンブルにサポートされる最大セル半径をサポート可能であることを考慮する必要がある。ＬＴＥでは、ＲＡＲに含まれるタイミングアドバンスは、計１１ビットを有し、対応する時間範囲が０〜１．０６６ｍｓであり、最大セル半径が１６０ｋｍであることに対応し、ＬＴＥ  ＰＲＡＣＨフォーマットにサポートされる最大セル半径の１２０ｋｍより大きい。ここで、ＮＲのタイミングアドバンスとして、ＬＴＥとは同一のビット数を選択し、以上言及されたＮＲのタイミングアドバンスの時間定量化単位に基づき、サポート可能な最大セル半径を算出することを提案する。各サブキャリア間隔では、すべてのプリアンブルにサポートされる最大セル半径のサポート可否を確保できるかを検査する。表１は、上記場合で１１ビットのタイミングアドバンスにサポートされる最大セル半径を示す。
【００９４】
表１では、ＰＵＣＣＨおよび／またはＰＵＳＣＨのサブキャリア間隔が１５ｋＨｚであると、１１ビットのタイミングアドバンスにサポートされる最大セル半径は、１６０ｋｍである。ＰＵＣＣＨおよび／またはＰＵＳＣＨのサブキャリア間隔が大きくなると、ＮＲのサブキャリア間隔の大きいプリアンブルが用いられる。たとえば、１２０ｋＨｚと２４０ｋＨｚのサブキャリア間隔を有するＰＵＳＣＨおよび／またはＰＵＣＣＨは、６ＧＨｚより高い搬送波周波数のみを使用する。６ＧＨｚより高い搬送波周波数では、ＰＲＡＣＨのプリアンブルは、１５ｋＨｚまたはそれより大きいサブキャリア間隔を使用し、サポートされる最大セル半径が５ｋｍ以下である。つまり、ＮＲのタイミングアドバンスのビット数として１１が選択される。
【００９５】
【表１】
2020533909.tif 000005
【００９６】
表１によると、本開示の実施例において、サポートされるサブキャリア間隔配置情報のうちのサブキャリア間隔は、タイミングアドバンスの時間定量化単位に対応し、同時にタイミングアドバンスにサポートされる最大セル半径に対応する。
【００９７】
ここで、前記サブキャリア間隔の最大値Ｓ、前記サブキャリア間隔の最大値Ｓに対応する前記タイミングアドバンスの時間定量化単位Ｎおよび所定のビット値に基づき、所定のビット値のタイミングアドバンスにサポートされる最大セル半径を特定することができる。前記タイミングアドバンスの時間定量化単位Ｎは、前記サブキャリア間隔の最大値Ｓの増加につれて減少し、所定のビット値のタイミングアドバンスにサポートされる最大セル半径は、サブキャリア間隔の最大値Ｓの増加につれて減少し、所定のビット値のタイミングアドバンスにサポートされる最大セル半径は、前記タイミングアドバンスの時間定量化単位Ｎの増加につれて増加する。
【００９８】
具体的に、現在の所定のビット値が１１である場合、所定のビットである１１の数字離散を行い、対応する最大数字値の（２１１−１）を特定する。ここで、対応する最大数字値は、２０４７である。それから、サブキャリア間隔の最大値Ｓのタイミングアドバンスの時間定量化単位Ｎに基づき計算する。具体的な計算プロセスとして、（２１１−１）とタイミングアドバンスの時間定量化単位Ｎの積を算出して第１参照値を得、それから第１参照値と光速ｃの積を算出して第２参照値を得、得られた第２参照値の二分の一を、１１ビットのタイミングアドバンスにサポートされる最大セル半径に特定する。ここで、空気で光の伝播速度が真空での速度にほぼ等しいため、ここの光速ｃの値は、２９９７９２４５８メートル／秒をとる。
【００９９】
サブキャリア間隔が１５ｋＨｚであることを例として説明する。この場合、サブキャリア間隔に対応するタイミングアドバンスの時間定量化単位は、１６＊６４Ｔｓである。２０４７と（１６＊６４Ｔｓ）の積を算出して第１参照値を得る。この場合の第１参照値は、０．００１０６６１４５８秒にほぼ等しい。それから、第１参照値０．００１０６６１４５８秒と光速ｃ（２９９７９２４５８メートル／秒）の積を算出して第２参照値を得る。ここで、第２参照値の計算プロセスとして、（２９９７９２４５８メートル／秒）＊０．００１０６６１４５８秒＝３１９６２２．５メートルである。それから第２参照値の二分の一を算出し、サブキャリア間隔１５ｋＨｚではタイミングアドバンスにサポートされる最大セル半径の１５９８１１．２５メートルを得る。この場合、１５９．８ｋｍにほぼ等しく、さらに約１６０ｋｍに等しい。
【０１００】
サブキャリア間隔が３０ｋＨｚであることを例として説明する。この場合、サブキャリア間隔に対応するタイミングアドバンスの時間定量化単位は、８＊６４Ｔｓである。２０４７と（８＊６４Ｔｓ）の積を算出して第１参照値を得る。この場合の第１参照値は、０．０００５３３０７２９秒にほぼ等しい。それから、第１参照値０．０００５３３０７２９秒と光速ｃ（２９９７９２４５８メートル／秒）の積を算出して第２参照値を得る。ここで、第２参照値の計算プロセスとして、（２９９７９２４５８メートル／秒）＊０．０００５３３０７２９秒＝１５９８１１．２メートルである。それから第２参照値の二分の一を算出し、サブキャリア間隔３０ｋＨｚではタイミングアドバンスにサポートされる最大セル半径の７９９０５．６メートルを得る。この場合、７９．９ｋｍにほぼ等しく、さらに約８０ｋｍに等しい。
【０１０１】
以上は、サブキャリア間隔の最大値Ｓ、サブキャリア間隔の最大値Ｓに対応するタイミングアドバンスの時間定量化単位Ｎおよび所定のビット値に基づき、所定のビット値のタイミングアドバンスにサポートされる最大セル半径を特定するプロセスである。ここで、タイミングアドバンスにサポートされる最大セル半径は、サブキャリア間隔の最大値Ｓ、タイミングアドバンスの時間定量化単位Ｎおよび所定のビット値にすべて相関する。
【０１０２】
表１によると、サブキャリア間隔が順に増大すると同時に、タイミングアドバンスの時間定量化単位が順に減少し、タイミングアドバンスにサポートされる最大セル半径が順に減少する。簡単に、タイミングアドバンスの時間定量化単位がサブキャリア間隔とは負相関であり、タイミングアドバンスにサポートされる最大セル半径がサブキャリア間隔とは負相関であり、タイミングアドバンスの時間定量化単位がタイミングアドバンスにサポートされる最大セル半径とは正相関であると理解できる。
【０１０３】
基地局は、目標変換値Ｍとサブキャリア間隔の最大値Ｓに対応するタイミングアドバンスの時間定量化単位Ｎに基づき、サブキャリア間隔の最大値Ｓに対応するタイミングアドバンスの定量値Ｋを特定すると、ステップ１０４を実行する。
【０１０４】
ステップ１０４において、前記タイミングアドバンスの定量値を前記端末に送信する。
【０１０５】
ここで、タイミングアドバンスの定量値を端末に送信する際に、タイミングアドバンスの定量値をランダムアクセス応答メッセージに含ませ、前記タイミングアドバンスの定量値が付帯されたランダムアクセス応答メッセージを前記端末に送信する。ここで端末に送信されるタイミングアドバンスの定量値は、１１ビットによって搬送される。
【０１０６】
端末は、タイミングアドバンスの定量値が付帯されたランダムアクセス応答メッセージを受信すると、ランダムアクセス応答メッセージのうちのタイミングアドバンスの定量値を抽出し、タイミングアドバンスの定量値を取得すると、予め受信したサブキャリア間隔配置情報および取得済みのタイミングアドバンスの定量値に基づいて計算し、目標タイミングアドバンスを特定し、目標タイミングアドバンスに基づいてアップリンクタイミング調整を行うことによって、アップリンクタイミングアドバンスの指示を効果的に実現する。
【０１０７】
つまり、本開示の実施例における上記タイミングアドバンス指示方法において、基地局からサブキャリア間隔配置情報を端末に送信する。端末は、サブキャリア間隔配置情報の受信後にプリアンブルを基地局にフィードバックする。基地局は、取得済みのプリアンブルに基づき、追跡エリアに対応するタイミングアドバンスの定量値を取得して端末に送信する。よって、端末は、取得済みのタイミングアドバンスの定量値とサブキャリア間隔配置情報に基づき、目標タイミングアドバンスを特定してアップリンクタイミング調整を行う。シグナリングオーバヘッドが変わらない場合では、アップリンクタイミングアドバンスの指示を効果的に実現し、５Ｇ  ＮＲのランダムアクセスメカニズムではアップリンクのキャリア間隔に基づいてタイミングアドバンスの定量化単位を調整できることを保証し、アップリンク直交性を実現する。同時に、当該方法は、現在のＮＲのプリアンブルにサポートされる最大セル半径をサポート可能である。
【０１０８】
図２に示すように、本開示の実施例は、端末に応用されるタイミングアドバンス指示方法をさらに提供し、ステップ２０１〜２０４を含む。
【０１０９】
ステップ２０１において、基地局から送信されるＰＵＳＣＨおよび／またはＰＵＣＣＨのサブキャリア間隔配置情報を受信する。
【０１１０】
まず、端末は、基地局との間で通信接続を実現する必要があり、通信接続が実現されると、基地局から送信されるサブキャリア間隔配置情報を受信する。サブキャリア間隔配置情報は、１５ｋＨｚ、３０ｋＨｚ、６０ｋＨｚおよび１２０ｋＨｚを含む第１系列のサブキャリア間隔を含み、２４０ｋＨｚを含む第２系列のサブキャリア間隔、４８０ｋＨｚを含む第３系列のサブキャリア間隔を含んでもよい。第１系列のサブキャリア間隔と第２系列のサブキャリア間隔とは、「および／または」の関係であり、第１系列のサブキャリア間隔と第３系列のサブキャリア間隔とは、「および／または」の関係であり、第２系列のサブキャリア間隔と第３系列のサブキャリア間隔とは、「および／または」の関係である。かつサブキャリア間隔に対応するタイミングアドバンスのビット値は、同じであり、すべて所定のビット値であり、かつ所定のビット値が１１ビットである。
【０１１１】
ステップ２０２において、サブキャリア間隔配置情報に基づき、プリアンブルを基地局にフィードバックする。
【０１１２】
端末は、基地局から送信されるサブキャリア間隔配置情報を受信すると、サブキャリア間隔配置情報に基づいてプリアンブルを基地局にフィードバックする。ここで、端末のプリアンブルフィードバックプロセスとして、受信した前記サブキャリア間隔配置情報に基づき、ＰＲＡＣＨの前記プリアンブルを前記基地局にフィードバックする。よって、基地局は、受信したプリアンブルに基づき、追跡エリアに対応するタイミングアドバンスの定量値を取得する。ここで基地局がプリアンブルに基づいてタイミングアドバンスの定量値を取得するプロセスについて、ここでは詳細に記載しない。
【０１１３】
基地局は、プリアンブルに基づいてタイミングアドバンスの定量値を取得すると、取得したタイミングアドバンスの定量値を端末に送信する。
【０１１４】
ステップ２０３において、プリアンブルに基づいて取得される追跡エリアに対応するタイミングアドバンスの定量値を基地局から受信する。
【０１１５】
端末からプリアンブルを基地局にフィードバックすると、基地局は、プリアンブルに基づき、追跡エリアに対応するタイミングアドバンスの定量値を特定する。端末は、基地局から送信されるタイミングアドバンスの定量値を受信する。ここで端末がタイミングアドバンスの定量値を受信するプロセスとして、前記タイミングアドバンスの定量値が付帯されるランダムアクセス応答メッセージを前記基地局から受信し、前記タイミングアドバンスの定量値を取得する。
【０１１６】
端末は、プリアンブルを基地局にフィードバックすると、タイミングアドバンスの定量値が付帯されるランダムアクセス応答メッセージを基地局から受信し、ランダムアクセス応答メッセージのうちのタイミングアドバンスの定量値を取得する。ここでタイミングアドバンスの定量値の数は、サブキャリア間隔配置情報のうちのサブキャリア間隔の数とは同じであり、各サブキャリア間隔が１つのタイミングアドバンスの定量値に対応する。
【０１１７】
本開示の実施例において、基地局が取得した参照タイミングアドバンスＴが１００μｓであると、基地局から端末に送信される１５ｋＨｚのサブキャリア間隔に対応するタイミングアドバンスの定量値Ｋは、１９２であり、３０ｋＨｚのサブキャリア間隔に対応するタイミングアドバンスの定量値Ｋは、３８４であり、６０ｋＨｚのサブキャリア間隔に対応するタイミングアドバンスの定量値Ｋは、７６８であり、１２０ｋＨｚのサブキャリア間隔に対応するタイミングアドバンスの定量値Ｋは、１５３６であり、２４０ｋＨｚのサブキャリア間隔に対応するタイミングアドバンスの定量値Ｋは、３０７２であり、２４０ｋＨｚのサブキャリア間隔に対応するタイミングアドバンスの定量値Ｋは、６１４４である。
【０１１８】
ステップ２０４において、タイミングアドバンスの定量値とサブキャリア間隔配置情報に基づき、目標タイミングアドバンスを特定してアップリンクタイミング調整を行う。
【０１１９】
基地局から送信される各サブキャリア間隔に対応するタイミングアドバンスの定量値を受信すると、取得したタイミングアドバンスの定量値および予め受信したサブキャリア間隔配置情報に基づいて計算し、目標タイミングアドバンスを取得し、目標タイミングアドバンスを取得すると、目標タイミングアドバンスに基づいてアップリンクタイミング調整を行うことによって、アップリンクタイミングアドバンスの指示を効果的に実現する。
【０１２０】
ここで、前記タイミングアドバンスの定量値と前記サブキャリア間隔配置情報に基づき、目標タイミングアドバンスを特定してアップリンクタイミング調整を行うステップは、
前記サブキャリア間隔配置情報に基づき、タイミングアドバンスの時間定量化単位Ｎを取得することと、前記タイミングアドバンスの時間定量化単位Ｎと前記タイミングアドバンスの定量値Ｋに基づき、前記目標タイミングアドバンスＦを特定することと、前記目標タイミングアドバンスＦに基づき、アップリンクタイミング調整を行うこととを含む。
【０１２１】
本開示の実施例において、前記サブキャリア間隔配置情報に基づき、タイミングアドバンスの時間定量化単位Ｎを取得する前に、前記方法では、
基地局から端末に対し配置する１つまたは複数のタイミングアドバンス群を特定することをさらに含み、
ここで、各々の前記タイミングアドバンス群には、端末に対し配置する１つまたは複数のコンポーネントキャリアを含む。
【０１２２】
なお、基地局は、あるＲＲＣ接続方式の端末に対し１つまたは複数のコンポーネントキャリアを配置する。これらのコンポーネントキャリアは、同じまたは異なるタイミングアドバンス群ＴＡＧに分けられる。すなわち、基地局は、端末に対し１つまたは複数のタイミングアドバンス群ＴＡＧを配置する。各コンポーネントキャリアに対応するリンクが帯域幅方式で動作し、すなわち、周波数領域で１つまたは複数のダウンリンク帯域幅部分（ＤＬ  ＢＷＰ）および１つまたは複数のアップリンク帯域幅部分（ＵＬ  ＢＷＰ）をセットする。各ＢＷＰは、同じまたは異なるサブキャリア間隔の使用が可能である。
【０１２３】
対応的に、前記サブキャリア間隔配置情報に基づき、タイミングアドバンスの時間定量化単位Ｎを取得するステップは、
前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位を取得することを含む。
【０１２４】
本開示の実施例において、１つのタイミングアドバンス群ＴＡＧが１つのタイミングアドバンスの時間定量化単位に対応する。１つのタイミングアドバンス群ＴＡＧに含まれるコンポーネントキャリアのアップリンク帯域幅部分には、ＰＵＳＣＨ／ＰＵＣＣＨの同じまたは異なる複数のサブキャリア間隔を含むため、本開示の具体的な実施例において、各タイミングアドバンス群に対応するタイミングアドバンスの時間定量化単位を以下２種類の方式で特定する。
【０１２５】
方式１：前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべてのアップリンク帯域幅部分のすべてのＰＵＳＣＨおよび／またはＰＵＣＣＨのサブキャリア間隔の最大値を取得し、前記サブキャリア間隔の最大値に基づき、前記タイミングアドバンス群に対応するタイミングアドバンスの時間定量化単位を取得する。
【０１２６】
なお、タイミングアドバンス群ＴＡＧに含まれるすべてのコンポーネントキャリアは、アップリンクキャリア、ダウンリンクキャリアおよび／またはＳＵＬ（Ｓｕｐｐｌｅｍｅｎｔａｌ  Ｕｐｌｉｎｋ  Ｃａｒｒｉｅｒ）を含む。
【０１２７】
当該方式では、アップリンク帯域幅部分が活性化状態にあるか否かにかかわらず、ＴＡＧのうちのすべてのコンポーネントキャリアのすべてのアップリンク帯域幅部分のすべてのＰＵＳＣＨ／ＰＵＣＣＨのサブキャリア間隔からサブキャリア間隔の最大値を選択し、選択したサブキャリア間隔の最大値に対応するタイミングアドバンスの時間定量化単位を、当該ＴＡＧのタイミングアドバンスの時間定量化単位に特定する。
【０１２８】
方式２：前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべての活性化状態のアップリンク帯域幅部分のすべてのＰＵＳＣＨおよび／またはＰＵＣＣＨのサブキャリア間隔の最大値を取得し、前記サブキャリア間隔の最大値に基づき、前記タイミングアドバンス群に対応するタイミングアドバンスの時間定量化単位を取得する。
【０１２９】
なお、タイミングアドバンス群ＴＡＧに含まれるすべてのコンポーネントキャリアは、アップリンクキャリア、ダウンリンクキャリアおよび／またはＳＵＬ（ｓｕｐｐｌｅｍｅｎｔａｌ  ｕｐｌｉｎｋ  ｃａｒｒｉｅｒ）を含む。
【０１３０】
当該方式では、活性化状態のアップリンク帯域幅部分のみを考慮し、ＴＡＧのうちのすべてのコンポーネントキャリアのすべての活性化状態のアップリンク帯域幅部分のすべてのＰＵＳＣＨ／ＰＵＣＣＨのサブキャリア間隔からサブキャリア間隔の最大値を選択し、選択したサブキャリア間隔の最大値に対応するタイミングアドバンスの時間定量化単位を、当該ＴＡＧのタイミングアドバンスの時間定量化単位に特定する。
【０１３１】
さらに、基地局は、専用のＲＲＣシグナリングまたはほかのより速い命令（たとえばＬ１シグナリング）によって同時に複数の帯域幅部分ＢＷＰを活性化／非活性化してもよい。
【０１３２】
選択可能に、本開示の実施例において、前記サブキャリア間隔の最大値に基づき、前記タイミングアドバンス群に対応するタイミングアドバンスの時間定量化単位を取得するステップは、前記サブキャリア間隔配置情報のうちのサブキャリア間隔と前記タイミングアドバンスの時間定量化単位との予め形成された対応関係では、前記サブキャリア間隔の最大値Ｓに対応する前記タイミングアドバンスの時間定量化単位Ｎをサーチすることを含む。
【０１３３】
つまり、本開示の上記実施例において、各タイミングアドバンス群に対応するタイミングアドバンスの時間定量化単位の２種類の特定方式は、基地局からＲＲＣ接続方式の端末に対し１つまたは複数のＴＡＧを配置すること、各ＴＡＧに１つまたは複数のコンポーネントキャリアを有すること、および、各コンポーネントキャリアには、１つまたは複数のＤＬ  ＢＷＰとＵＬ  ＢＷＰが配置されることにかかわらず、いずれも有効である。
【０１３４】
さらに、ＴＡＧで配置されたすべてのＵＬ  ＢＷＰについて、そのサブキャリア間隔が端末にとって既知であるため、明確なシグナリングによって、当該ＴＡＧのタイミングアドバンスの時間定量化単位を端末に通知する必要がなく、シグナリングオーバヘッドを効果的に節約することができる。かつ上記２種類の方式で特定されるタイミングアドバンスの時間定量化単位が、各ＴＡＧで配置されたすべてのＵＬ  ＢＷＰに必要される粒子度のうち最適であるため、特定されたタイミングアドバンスの時間定量化単位は、当該ＴＡＧで配置されたすべてのＵＬ  ＢＷＰのＵＬ同期要件を満たすことができる。かつ端末に対し、任意の数のタイミングアドバンス群、任意の数のアップリンク／ダウンリンクのコンポーネントキャリア、任意の数の配置されまたは活性化されたＤＬ／ＵＬ  ＢＷＰを配置可能であるため、その実現方式が簡単であり、システムの制限を受けない。
【０１３５】
具体的に、サブキャリア間隔の最大値Ｓに基づき、対応関係から、それに対応するタイミングアドバンスの時間定量化単位Ｎを特定する。第１系列のサブキャリア間隔の場合、サブキャリア間隔の最大値Ｓが１５＊２ｎｋＨｚであると、タイミングアドバンスの時間定量化単位Ｎは、１６＊６４＊２−ｎＴｓであり、ｎの値が０、１、２または３である。第２系列のサブキャリア間隔の場合、サブキャリア間隔の最大値Ｓが１５＊２ｎｋＨｚであると、タイミングアドバンスの時間定量化単位Ｎは、１６＊６４＊２−ｎＴｓであり、ｎの値が４である。第３系列のサブキャリア間隔の場合、サブキャリア間隔の最大値Ｓが１５＊２ｎｋＨｚであると、タイミングアドバンスの時間定量化単位Ｎは、１６＊６４＊２−ｎＴｓであり、ｎの値が５である。
【０１３６】
サブキャリア間隔が１５ｋＨｚであると、１５＊２ｎｋＨｚで対応するｎの値は、０である。サブキャリア間隔の最大値Ｓとタイミングアドバンスの時間定量化単位Ｎとの対応関係から、ｎが０であると、１６＊６４＊２−ｎＴｓでｎの値も０である。この場合、タイミングアドバンスの時間定量化単位Ｎは、１６＊６４Ｔｓである。サブキャリア間隔が３０ｋＨｚであると、１５＊２ｎｋＨｚで対応するｎの値は、１である。サブキャリア間隔の最大値Ｓとタイミングアドバンスの時間定量化単位Ｎとの対応関係から、ｎが１であると、１６＊６４＊２−ｎＴｓでｎの値も１である。この場合、タイミングアドバンスの時間定量化単位Ｎは、８＊６４Ｔｓである。対応的に、サブキャリア間隔が６０ｋＨｚであると、１５＊２ｎｋＨｚで対応するｎの値は、２である。サブキャリア間隔の最大値Ｓとタイミングアドバンスの時間定量化単位Ｎとの対応関係から、ｎが２であると、１６＊６４＊２−ｎＴｓでｎの値も２である。この場合、タイミングアドバンスの時間定量化単位Ｎは、４＊６４Ｔｓである。１２０ｋＨｚ、２４０ｋＨｚおよび４８０ｋＨｚの場合について、ここでは枚挙せず、具体的なケースについて、表１を参照する。
【０１３７】
ここで、サブキャリア間隔の最大値Ｓとタイミングアドバンスの時間定量化単位Ｎとの対応関係は、予め規定される。具体的な規定プロセスについて、ここでは記載せず、具体的に基地局側の記載を参照する。
【０１３８】
タイミングアドバンスの時間定量化単位Ｎを特定すると、前記タイミングアドバンスの時間定量化単位Ｎと前記タイミングアドバンスの定量値Ｋに基づき、前記サブキャリア間隔配置のうちのサブキャリア間隔の最大値Ｓに対応する前記目標タイミングアドバンスＦを特定するステップは、第２所定公式Ｆ＝Ｎ＊Ｋで計算し、前記目標タイミングアドバンスＦを取得することを含む。
【０１３９】
タイミングアドバンスの時間定量化単位Ｎを特定すると、タイミングアドバンスの時間定量化単位Ｎとタイミングアドバンスの定量値Ｋの積を算出し、得られた積を目標タイミングアドバンスＦに特定する。ここでサブキャリア間隔がタイミングアドバンスの時間定量化単位Ｎに対応し、同時にサブキャリア間隔がタイミングアドバンスの定量値Ｋに対応する。
【０１４０】
上記のプロセスでは、基地局から端末に送信されるタイミングアドバンスの定量値を取得し、基地局が取得した参照タイミングアドバンスＴが１００μｓであると、端末が受信したタイミングアドバンスの定量値について、１５ｋＨｚのサブキャリア間隔に対応するタイミングアドバンスの定量値が１９２であり、３０ｋＨｚのサブキャリア間隔に対応するタイミングアドバンスの定量値が３８４であり、６０ｋＨｚのサブキャリア間隔に対応するタイミングアドバンスの定量値が７６８であり、１２０ｋＨｚのサブキャリア間隔に対応するタイミングアドバンスの定量値が１５３６であり、２４０ｋＨｚのサブキャリア間隔に対応するタイミングアドバンスの定量値が３０７２であり、４８０ｋＨｚのサブキャリア間隔に対応するタイミングアドバンスの定量値が６１４４である。
【０１４１】
サブキャリア間隔の最大値Ｓとタイミングアドバンスの時間定量化単位Ｎとの対応関係に基づき、１５ｋＨｚのサブキャリア間隔に対応するタイミングアドバンスの時間定量化単位Ｎが１６＊６４Ｔｓであり、３０ｋＨｚのサブキャリア間隔に対応するタイミングアドバンスの時間定量化単位Ｎが８＊６４Ｔｓであり、６０ｋＨｚのサブキャリア間隔に対応するタイミングアドバンスの時間定量化単位Ｎが４＊６４Ｔｓであり、１２０ｋＨｚのサブキャリア間隔に対応するタイミングアドバンスの時間定量化単位Ｎが２＊６４Ｔｓであり、２４０ｋＨｚのサブキャリア間隔に対応するタイミングアドバンスの時間定量化単位Ｎが６４Ｔｓであり、４８０ｋＨｚのサブキャリア間隔に対応するタイミングアドバンスの時間定量化単位Ｎが０．５＊６４Ｔｓであると取得する。
【０１４２】
１５ｋＨｚのサブキャリア間隔について、対応する目標タイミングアドバンスＦは、１６＊６４Ｔｓ＊１９２であり、１６＊６４Ｔｓ＊１９２の値が１／１００００ｓである。３０ｋＨｚのサブキャリア間隔について、対応する目標タイミングアドバンスＦは、８＊６４Ｔｓ＊３８４であり、８＊６４Ｔｓ＊３８４の値が１／１００００ｓである。６０ｋＨｚのサブキャリア間隔について、対応する目標タイミングアドバンスＦは、４＊６４Ｔｓ＊７６８であり、４＊６４Ｔｓ＊７６８の値が１／１００００ｓである。１２０ｋＨｚのサブキャリア間隔について、対応する目標タイミングアドバンスＦは、２＊６４Ｔｓ＊１５３６であり、２＊６４Ｔｓ＊１５３６の値が１／１００００ｓである。２４０ｋＨｚのサブキャリア間隔について、対応する目標タイミングアドバンスＦは、６４Ｔｓ＊３０７２であり、６４Ｔｓ＊３０７２の値が１／１００００ｓである。４８０ｋＨｚのサブキャリア間隔について、対応する目標タイミングアドバンスＦは、０．５＊６４Ｔｓ＊６１４４であり、０．５＊６４Ｔｓ＊６１４４の値が１／１００００ｓである。
【０１４３】
端末は、目標タイミングアドバンスを取得すると、目標タイミングアドバンスに基づいてアップリンクタイミング調整を行う。セル中の異なる端末からのアップリンク伝送信号が基地局の受信機では時間整合であることを確保し、アップリンク同期を実現してアップリンク直交性を維持する。
【０１４４】
つまり、本開示の実施例における上記タイミングアドバンス指示方法において、端末は、基地局から送信されるサブキャリア間隔配置情報を受信し、サブキャリア間隔配置情報を受信すると、プリアンブルを基地局にフィードバックする。基地局は、取得したプリアンブルに基づき、追跡エリアに対応するタイミングアドバンスの定量値を取得して端末に送信する。端末は、タイミングアドバンスの定量値を取得すると、取得したタイミングアドバンスの定量値とサブキャリア間隔配置情報に基づき、目標タイミングアドバンスを特定してアップリンクタイミング調整を行う。シグナリングオーバヘッドが変わらない場合では、アップリンクタイミングアドバンスの指示を効果的に実現し、５Ｇ  ＮＲのランダムアクセスメカニズムではアップリンクのキャリア間隔に基づいてタイミングアドバンスの定量化単位を調整できることを保証し、アップリンク直交性を実現する。同時に、当該方法は、現在のＮＲのプリアンブルにサポートされる最大セル半径をサポート可能である。
【０１４５】
図３に示すように、本開示の実施例は、トランシーバ３２０と、メモリ３１０と、プロセッサ３００と、前記メモリ３１０に記憶されて前記プロセッサ３００で実行可能なプログラムを含む基地局をさらに提供する。前記プロセッサ３００は、メモリ３１０からプログラムを読み取ることによって、
ＰＵＳＣＨおよび／またはＰＵＣＣＨのサブキャリア間隔配置情報を端末に送信するプロセスと、
前記端末から前記サブキャリア間隔配置情報に基づいてフィードバックされるプリアンブルを受信するプロセスとを、
前記トランシーバ３２０に実行させることに用いられる。前記プロセッサ３００は、前記プリアンブルに基づき、追跡エリアに対応するタイミングアドバンスの定量値を取得するプロセスを実行することに用いられ、
前記トランシーバ３２０は、さらに、
前記タイミングアドバンスの定量値を前記端末に送信するプロセスを実行することに用いられる。
【０１４６】
選択可能に、前記プロセッサ３００は、さらに、前記端末から送信されるＰＲＡＣＨの前記プリアンブルに基づき、追跡エリアに対応する参照タイミングアドバンスを推定するプロセスと、前記参照タイミングアドバンスと前記サブキャリア間隔配置情報に基づき、前記タイミングアドバンスの定量値を取得するプロセスとを実行することに用いられる。
【０１４７】
選択可能に、前記プロセッサ３００は、さらに、
前記サブキャリア間隔配置情報に基づき、タイミングアドバンスの時間定量化単位を取得するプロセスと、
前記参照タイミングアドバンスと前記タイミングアドバンスの時間定量化単位に基づき、前記タイミングアドバンスの定量値を取得するプロセスとを実行することに用いられる。
【０１４８】
選択可能に、前記プロセッサ３００は、さらに、
端末に対し配置する１つまたは複数のコンポーネントキャリアを含むタイミングアドバンス群を、端末に対し１つまたは複数配置するプロセスと、
前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位を取得するプロセスとを実行することに用いられる。
【０１４９】
選択可能に、前記プロセッサ３００は、さらに、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべてのアップリンク帯域幅部分のすべてのＰＵＳＣＨおよび／またはＰＵＣＣＨのサブキャリア間隔の最大値を取得するプロセスと、
前記サブキャリア間隔の最大値に基づき、前記タイミングアドバンス群に対応するタイミングアドバンスの時間定量化単位を取得するプロセスとを実行することに用いられる。
【０１５０】
選択可能に、前記プロセッサ３００は、さらに、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべての活性化状態のアップリンク帯域幅部分のすべてのＰＵＳＣＨおよび／またはＰＵＣＣＨのサブキャリア間隔の最大値を取得するプロセスと、
前記サブキャリア間隔の最大値に基づき、前記タイミングアドバンス群に対応するタイミングアドバンスの時間定量化単位を取得するプロセスとを実行することに用いられる。
【０１５１】
選択可能に、前記プロセッサ３００は、さらに、
前記サブキャリア間隔配置情報のうちのサブキャリア間隔と前記タイミングアドバンスの時間定量化単位との予め形成された対応関係では、前記サブキャリア間隔の最大値Ｓに対応する前記タイミングアドバンスの時間定量化単位Ｎをサーチするプロセスを実行することに用いられる。
【０１５２】
選択可能に、前記プロセッサ３００は、さらに、
前記参照タイミングアドバンスＴとサンプリング間隔との比に基づき、目標変換値Ｍを特定するプロセスと、
前記目標変換値Ｍと前記タイミングアドバンスの時間定量化単位Ｎに基づき、タイミングアドバンスの定量値Ｋを特定するプロセスとを実行することに用いられる。
【０１５３】
選択可能に、前記プロセッサ３００は、さらに、
第１所定公式Ｋ＝Ｍ／Ｎで計算し、前記タイミングアドバンスの定量値Ｋを取得するプロセスを実行することに用いられる。
【０１５４】
選択可能に、前記トランシーバ３２０は、さらに、
前記タイミングアドバンスの定量値が付帯されたランダムアクセス応答メッセージを前記端末に送信するプロセスを実行することに用いられる。
【０１５５】
つまり、本開示の実施例における基地局は、サブキャリア間隔配置情報を端末に送信する。端末は、サブキャリア間隔配置情報の受信後にプリアンブルを基地局にフィードバックする。基地局は、取得済みのプリアンブルに基づき、追跡エリアに対応するタイミングアドバンスの定量値を取得して端末に送信する。よって、端末は、取得済みのタイミングアドバンスの定量値とサブキャリア間隔配置情報に基づき、目標タイミングアドバンスを特定してアップリンクタイミング調整を行う。シグナリングオーバヘッドが変わらない場合では、アップリンクタイミングアドバンスの指示を効果的に実現し、５Ｇ  ＮＲのランダムアクセスメカニズムではアップリンクのキャリア間隔に基づいてタイミングアドバンスの定量化単位を調整できることを保証し、アップリンク直交性を実現する。同時に、当該方法は、現在のＮＲのプリアンブルにサポートされる最大セル半径をサポート可能である。
【０１５６】
なお、本開示の実施例における基地局は、上記タイミングアドバンス指示方法を実行可能な基地局であり、上記タイミングアドバンス指示方法のすべての実施例が当該基地局に適用可能であり、かつ同一または類似する効果を奏することもできる。
【０１５７】
本開示の実施例は、プログラムが記憶されているコンピュータ読み取り可能な記憶媒体をさらに提供する。前記プログラムがプロセッサによって実行されると、上記のタイミングアドバンス指示方法の各プロセスが実現され、かつ同じ技術効果を奏することもできる。重複を避けるために、ここでは繰り返して記載しない。ここで、前記のコンピュータ読み取り可能な記憶媒体は、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなどである。
【０１５８】
図４に示すように、本開示の実施例は、基地局に応用されるタイミングアドバンス指示装置をさらに提供する。前記装置は、
ＰＵＳＣＨおよび／またはＰＵＣＣＨのサブキャリア間隔配置情報を端末に送信するための第１送信モジュール４１と、
前記端末から前記サブキャリア間隔配置情報に基づいてフィードバックされるプリアンブルを受信するための第１受信モジュール４２と、
前記プリアンブルに基づき、追跡エリアに対応するタイミングアドバンスの定量値を取得するための取得モジュール４３と、
前記タイミングアドバンスの定量値を前記端末に送信するための第２送信モジュール４４と、
を含む。
【０１５９】
選択可能に、前記取得モジュール４３は、
前記端末から送信されるＰＲＡＣＨの前記プリアンブルに基づき、追跡エリアに対応する参照タイミングアドバンスを推定し、追跡エリアに対応するタイミングアドバンスの定量値を取得するための第１取得サブモジュール４３１と、
前記参照タイミングアドバンスと前記サブキャリア間隔配置情報に基づき、前記タイミングアドバンスの定量値を取得するための第２取得サブモジュール４３２とを含む。
【０１６０】
選択可能に、前記第２取得サブモジュール４３２は、
前記サブキャリア間隔配置情報に基づき、タイミングアドバンスの時間定量化単位を取得するための第１取得ユニット４３２１と、
前記参照タイミングアドバンスと前記タイミングアドバンスの時間定量化単位に基づき、前記タイミングアドバンスの定量値を取得するための第２取得ユニット４３２２とを含む。
【０１６１】
選択可能に、当該基地局は、
端末に対し配置する１つまたは複数のコンポーネントキャリアを含むタイミングアドバンス群を、端末に対し１つまたは複数配置するための配置モジュールをさらに含む。
【０１６２】
前記第１取得ユニット４３２１は、さらに、
前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位を取得することに用いられる。
【０１６３】
選択可能に、前記第１取得ユニット４３２１は、さらに、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべてのアップリンク帯域幅部分のすべてのＰＵＳＣＨおよび／またはＰＵＣＣＨのサブキャリア間隔の最大値を取得することと、
前記サブキャリア間隔の最大値に基づき、前記タイミングアドバンス群に対応するタイミングアドバンスの時間定量化単位を取得することとに用いられる。
【０１６４】
選択可能に、前記第１取得ユニット４３２１は、さらに、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべての活性化状態のアップリンク帯域幅部分のすべてのＰＵＳＣＨおよび／またはＰＵＣＣＨのサブキャリア間隔の最大値を取得することと、
前記サブキャリア間隔の最大値に基づき、前記タイミングアドバンス群に対応するタイミングアドバンスの時間定量化単位を取得することとに用いられる。
【０１６５】
選択可能に、前記第１取得ユニット４３２１は、さらに、
前記サブキャリア間隔配置情報のうちのサブキャリア間隔と前記タイミングアドバンスの時間定量化単位との予め形成された対応関係では、前記サブキャリア間隔の最大値Ｓに対応する前記タイミングアドバンスの時間定量化単位Ｎをサーチすることに用いられる。
【０１６６】
選択可能に、前記第２取得ユニット４３２２は、
前記参照タイミングアドバンスＴとサンプリング間隔との比に基づき、目標変換値Ｍを特定するための第１特定サブユニット４３２２１と、
前記目標変換値Ｍと前記タイミングアドバンスの時間定量化単位Ｎに基づき、タイミングアドバンスの定量値Ｋを特定するための第２特定サブユニット４３２２２とを含む。
【０１６７】
選択可能に、前記第２特定サブユニット４３２２２は、さらに、
第１所定公式Ｋ＝Ｍ／Ｎで計算し、前記タイミングアドバンスの定量値Ｋを取得することに用いられる。
【０１６８】
選択可能に、前記第２送信モジュール４４は、さらに、
前記タイミングアドバンスの定量値が付帯されたランダムアクセス応答メッセージを前記端末に送信することに用いられる。
【０１６９】
つまり、本開示の実施例における上記タイミングアドバンス指示装置において、基地局からサブキャリア間隔配置情報を端末に送信する。端末は、サブキャリア間隔配置情報の受信後にプリアンブルを基地局にフィードバックする。基地局は、取得済みのプリアンブルに基づき、追跡エリアに対応するタイミングアドバンスの定量値を取得して端末に送信する。よって、端末は、取得済みのタイミングアドバンスの定量値とサブキャリア間隔配置情報に基づき、目標タイミングアドバンスを特定してアップリンクタイミング調整を行う。シグナリングオーバヘッドが変わらない場合では、アップリンクタイミングアドバンスの指示を効果的に実現し、５Ｇ  ＮＲのランダムアクセスメカニズムではアップリンクのキャリア間隔に基づいてタイミングアドバンスの定量化単位を調整できることを保証し、アップリンク直交性を実現する。同時に、当該方法は、現在のＮＲのプリアンブルにサポートされる最大セル半径をサポート可能である。
【０１７０】
なお、本開示の実施例におけるタイミングアドバンス指示装置は、上記タイミングアドバンス指示方法を実行可能な装置であり、上記タイミングアドバンス指示方法のすべての実施例が当該装置に適用可能であり、かつ同一または類似する効果を奏することもできる。
【０１７１】
図５に示すように、本開示の実施例は、トランシーバ５２０と、メモリ５１０と、プロセッサ５００と、前記メモリ５１０に記憶されて前記プロセッサ５００で実行可能なプログラムを含む端末をさらに提供する。前記端末は、ユーザインタフェース５３０をさらに含む。
前記プロセッサ５００は、メモリ５１０からプログラムを読み取ることによって、
基地局から送信されるＰＵＳＣＨおよび／またはＰＵＣＣＨのサブキャリア間隔配置情報を受信するプロセスと、
前記サブキャリア間隔配置情報に基づき、プリアンブルを前記基地局にフィードバックするプロセスと、
前記プリアンブルに基づいて取得される追跡エリアに対応するタイミングアドバンスの定量値を前記基地局から受信するプロセスとを、前記トランシーバ５２０に実行させることに用いられ、
前記プロセッサ５００は、
前記タイミングアドバンスの定量値と前記サブキャリア間隔配置情報に基づき、目標タイミングアドバンスを特定してアップリンクタイミング調整を行うプロセスを実行することに用いられる。
【０１７２】
選択可能に、前記トランシーバ５２０は、さらに、
受信した前記サブキャリア間隔配置情報に基づき、ＰＲＡＣＨの前記プリアンブルを前記基地局にフィードバックすることに用いられる。
【０１７３】
選択可能に、前記トランシーバ５２０は、さらに、
前記タイミングアドバンスの定量値が付帯されるランダムアクセス応答メッセージを前記基地局から受信し、前記タイミングアドバンスの定量値を取得することに用いられる。
【０１７４】
選択可能に、前記プロセッサ５００は、さらに、
前記サブキャリア間隔配置情報に基づき、タイミングアドバンスの時間定量化単位Ｎを取得するプロセスと、
前記タイミングアドバンスの時間定量化単位Ｎと前記タイミングアドバンスの定量値Ｋに基づき、前記目標タイミングアドバンスＦを特定するプロセスと、
前記目標タイミングアドバンスＦに基づき、アップリンクタイミング調整を行うプロセスとを実行することに用いられる。
【０１７５】
選択可能に、前記プロセッサ５００は、
さらに、基地局から端末に対し配置する１つまたは複数のタイミングアドバンス群を特定するプロセスと、
ここで、各々の前記タイミングアドバンス群には、端末に対し配置する１つまたは複数のコンポーネントキャリアを含み、
前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位Ｎを取得するプロセスとを実行することに用いられる。
【０１７６】
選択可能に、前記プロセッサ５００は、さらに、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべてのアップリンク帯域幅部分のすべてのＰＵＳＣＨおよび／またはＰＵＣＣＨのサブキャリア間隔の最大値を取得するプロセスと、
前記サブキャリア間隔の最大値に基づき、前記タイミングアドバンス群に対応するタイミングアドバンスの時間定量化単位Ｎを取得するプロセスとを実行することに用いられる。
【０１７７】
選択可能に、前記プロセッサ５００は、さらに、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべての活性化状態のアップリンク帯域幅部分のすべてのＰＵＳＣＨおよび／またはＰＵＣＣＨのサブキャリア間隔の最大値を取得するプロセスと、
前記サブキャリア間隔の最大値に基づき、前記タイミングアドバンス群に対応するタイミングアドバンスの時間定量化単位を取得するプロセスとを実行することに用いられる。
【０１７８】
選択可能に、前記プロセッサ５００は、さらに、
前記サブキャリア間隔配置情報のうちのサブキャリア間隔と前記タイミングアドバンスの時間定量化単位との予め形成された対応関係では、前記サブキャリア間隔の最大値Ｓに対応する前記タイミングアドバンスの時間定量化単位Ｎをサーチするプロセスを実行することに用いられる。
【０１７９】
選択可能に、前記プロセッサ５００は、さらに、
第２所定公式Ｆ＝Ｎ＊Ｋで計算し、前記目標タイミングアドバンスＦを取得するプロセスを実行することに用いられる。
【０１８０】
つまり、本開示の実施例における上記端末は、基地局から送信されるサブキャリア間隔配置情報を受信し、サブキャリア間隔配置情報を受信すると、プリアンブルを基地局にフィードバックする。基地局は、取得したプリアンブルに基づき、追跡エリアに対応するタイミングアドバンスの定量値を取得して端末に送信する。端末は、タイミングアドバンスの定量値を取得すると、取得したタイミングアドバンスの定量値とサブキャリア間隔配置情報に基づき、目標タイミングアドバンスを特定してアップリンクタイミング調整を行う。シグナリングオーバヘッドが変わらない場合では、アップリンクタイミングアドバンスの指示を効果的に実現し、５Ｇ  ＮＲのランダムアクセスメカニズムではアップリンクのキャリア間隔に基づいてタイミングアドバンスの定量化単位を調整できることを保証し、アップリンク直交性を実現する。同時に、当該方法は、現在のＮＲのプリアンブルにサポートされる最大セル半径をサポート可能である。なお、本開示の実施例における端末は、上記タイミングアドバンス指示方法を実行可能な端末であり、上記タイミングアドバンス指示方法のすべての実施例が当該端末に適用可能であり、かつ同一または類似する効果を奏することもできる。
【０１８１】
本開示の実施例は、プログラムが記憶されているコンピュータ読み取り可能な記憶媒体をさらに提供する。前記プログラムがプロセッサによって実行されると、上記のタイミングアドバンス指示方法の各プロセスが実現され、かつ同じ技術効果を奏することもできる。重複を避けるために、ここでは繰り返して記載しない。ここで、前記のコンピュータ読み取り可能な記憶媒体は、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなどである。
【０１８２】
図６に示すように、本開示の実施例は、端末に応用されるタイミングアドバンス指示装置をさらに提供する。前記装置は、
基地局から送信されるＰＵＳＣＨおよび／またはＰＵＣＣＨのサブキャリア間隔配置情報を受信するための第２受信モジュール６１と、
前記サブキャリア間隔配置情報に基づき、プリアンブルを前記基地局にフィードバックするためのフィードバックモジュール６２と、
前記プリアンブルに基づいて取得される追跡エリアに対応するタイミングアドバンスの定量値を前記基地局から受信するための第３受信モジュール６３と、
前記タイミングアドバンスの定量値と前記サブキャリア間隔配置情報に基づき、目標タイミングアドバンスを特定してアップリンクタイミング調整を行うための処理モジュール６４と、
を含む。
【０１８３】
選択可能に、前記フィードバックモジュール６２は、さらに、
受信した前記サブキャリア間隔配置情報に基づき、ＰＲＡＣＨの前記プリアンブルを前記基地局にフィードバックすることに用いられる。
【０１８４】
選択可能に、前記第３受信モジュール６３は、さらに、
前記タイミングアドバンスの定量値が付帯されるランダムアクセス応答メッセージを前記基地局から受信し、前記タイミングアドバンスの定量値を取得することに用いられる。
【０１８５】
選択可能に、前記処理モジュール６４は、
前記サブキャリア間隔配置情報に基づき、タイミングアドバンスの時間定量化単位Ｎを取得するための第１特定サブモジュール６４１と、
前記タイミングアドバンスの時間定量化単位Ｎと前記タイミングアドバンスの定量値Ｋに基づき、前記目標タイミングアドバンスＦを特定するための第２特定サブモジュール６４２と、
前記目標タイミングアドバンスＦに基づき、アップリンクタイミング調整を行うための処理サブモジュール６４３とを含む。
【０１８６】
選択可能に、第１特定サブモジュール６４１は、さらに、
基地局から端末に対し配置する１つまたは複数のタイミングアドバンス群を特定することと、
ここで、各々の前記タイミングアドバンス群には、端末に対し配置する１つまたは複数のコンポーネントキャリアを含み、
前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位Ｎを取得することに用いられる。
【０１８７】
選択可能に、第１特定サブモジュール６４１は、さらに、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべてのアップリンク帯域幅部分のすべてのＰＵＳＣＨおよび／またはＰＵＣＣＨのサブキャリア間隔の最大値を取得することと、
前記サブキャリア間隔の最大値に基づき、前記タイミングアドバンス群に対応するタイミングアドバンスの時間定量化単位Ｎを取得することとに用いられる。
【０１８８】
選択可能に、第１特定サブモジュール６４１は、さらに、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべての活性化状態のアップリンク帯域幅部分のすべてのＰＵＳＣＨおよび／またはＰＵＣＣＨのサブキャリア間隔の最大値を取得することと、
前記サブキャリア間隔の最大値に基づき、前記タイミングアドバンス群に対応するタイミングアドバンスの時間定量化単位を取得することとに用いられる。
【０１８９】
選択可能に、第１特定サブモジュール６４１は、さらに、
前記サブキャリア間隔配置情報のうちのサブキャリア間隔と前記タイミングアドバンスの時間定量化単位との予め形成された対応関係では、前記サブキャリア間隔の最大値Ｓに対応する前記タイミングアドバンスの時間定量化単位Ｎをサーチすることに用いられる。
【０１９０】
選択可能に、第２特定サブモジュール６４２は、さらに、
第２所定公式Ｆ＝Ｎ＊Ｋで計算し、前記目標タイミングアドバンスＦを取得することに用いられる。
【０１９１】
つまり、本開示の実施例における上記タイミングアドバンス指示装置において、基地局から送信されるサブキャリア間隔配置情報を受信し、サブキャリア間隔配置情報を受信すると、プリアンブルを基地局にフィードバックする。基地局は、取得したプリアンブルに基づき、追跡エリアに対応するタイミングアドバンスの定量値を取得して端末に送信する。端末は、タイミングアドバンスの定量値を取得すると、取得したタイミングアドバンスの定量値とサブキャリア間隔配置情報に基づき、目標タイミングアドバンスを特定してアップリンクタイミング調整を行う。シグナリングオーバヘッドが変わらない場合では、アップリンクタイミングアドバンスの指示を効果的に実現し、５Ｇ  ＮＲのランダムアクセスメカニズムではアップリンクのキャリア間隔に基づいてタイミングアドバンスの定量化間隔を調整できることを保証し、アップリンク直交性を実現する。
【０１９２】
なお、本開示の実施例におけるタイミングアドバンス指示装置は、上記タイミングアドバンス指示方法を実行可能な装置であり、上記タイミングアドバンス指示方法のすべての実施例が当該装置に適用可能であり、かつ同一または類似する効果を奏することもできる。
【０１９３】
本開示の実施例は、方法、システム、又はコンピュータプログラムプロダクトとして提供されうると当業者が理解できる。従って、本開示の実施例は、完全にハードウェアの実施例、完全にソフトウェアの実施例、又はソフトウェアとハードウェアを組み合わせた実施例の形態を取り得る。しかも、本開示の実施例は、コンピュータ利用可能なプログラムコードを含む１つ又は複数のコンピュータ読み取り可能な記憶媒体（磁気ディスクメモリ、光学メモリなどを含むが、それらに限らない）で実施されるコンピュータプログラムプロダクトの形態を取り得る。
【０１９４】
本願は、本願の実施例による方法、デバイス（システム）及びコンピュータプログラムプロダクトのフローチャート及び／又はブロック図を参照にして記載されている。フローチャート及び／又はブロック図における各フロー及び／又はブロック、及びフローチャート及び／又はブロック図におけるフロー及び／又はブロックの組み合わせは、コンピュータプログラムコマンドにより実現されうると理解されるべきである。これらのコンピュータプログラムコマンドを汎用コンピュータ、専用コンピュータ、嵌め込み式プロセッサ又は他のプログラマブルデータ処理デバイスのプロセッサに提供して１つの機器を形成し、コンピュータ又は他のプログラマブルデータ処理デバイスのプロセッサにより実行される指令により、フローチャートの１つ又は複数のフロー及び／又はブロック図の１つ又は複数のブロックで指定される機能を実現するための装置を形成する。
【０１９５】
これらのコンピュータプログラムコマンドは、コンピュータ又は他のプログラマブルデータ処理デバイスに特定の方式で動作させるを導けるコンピュータ読み出し可能なメモリに格納されてもよく、当該コンピュータ読み出し可能なメモリに格納されるコマンドにより、コマンド装置を含むプロダクトを形成する。当該コマンド装置は、フローチャートの１つ又は複数のフロー及び／又はブロック図の１つ又は複数のブロックで指定される機能を実現する。
【０１９６】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フローチャートの１つ又は複数のフロー及び／又はブロック図の１つ又は複数のブロックで指定される機能を実現するためのステップを提供する。
【０１９７】
以上記載されたのは、本開示の選択可能な実施形態である。なお、当業者は、本開示に記載されている原理を逸脱せずに様々な改良や修飾をすることもできる。これらの改良や修飾も、本開示の保護範囲内にある。
【図１】
2020533909.tif 000006
【図２】
2020533909.tif 000007
【図３】
2020533909.tif 000008
【図４】
2020533909.tif 000009
【図５】
2020533909.tif 000010
【図６】
2020533909.tif 000011
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
基地局に応用されるタイミングアドバンス指示方法において、
ＰＵＳＣＨ（Ｐｈｙｓｉｃａｌ  Ｕｐｌｉｎｋ  Ｓｈａｒｅｄ  Ｃｈａｎｎｅｌ）および／またはＰＵＣＣＨ（Ｐｈｙｓｉｃａｌ  Ｕｐｌｉｎｋ  Ｃｏｎｔｒｏｌ  Ｃｈａｎｎｅｌ）のサブキャリア間隔配置情報を端末に送信することと、
前記端末から前記サブキャリア間隔配置情報に基づいてフィードバックされるプリアンブルを受信することと、
前記プリアンブルに基づき、追跡エリアに対応するタイミングアドバンスの定量値を取得することと、
前記タイミングアドバンスの定量値を前記端末に送信することと、
を含む、タイミングアドバンス指示方法。
【請求項２】
前記プリアンブルに基づき、追跡エリアに対応するタイミングアドバンスの定量値を取得することは、
前記端末から送信されるＰＲＡＣＨ（Ｐｈｙｓｉｃａｌ  Ｒａｎｄｏｍ  Ａｃｃｅｓｓ  Ｃｈａｎｎｅｌ）の前記プリアンブルに基づき、追跡エリアに対応する参照タイミングアドバンスを推定することと、
前記参照タイミングアドバンスと前記サブキャリア間隔配置情報に基づき、前記タイミングアドバンスの定量値を取得することとを含む、請求項１に記載のタイミングアドバンス指示方法。
【請求項３】
前記参照タイミングアドバンスと前記サブキャリア間隔配置情報に基づき、前記タイミングアドバンスの定量値を取得することは、
前記サブキャリア間隔配置情報に基づき、タイミングアドバンスの時間定量化単位を取得することと、
前記参照タイミングアドバンスと前記タイミングアドバンスの時間定量化単位に基づき、前記タイミングアドバンスの定量値を取得することとを含む、請求項２に記載のタイミングアドバンス指示方法。
【請求項４】
前記の前記サブキャリア間隔配置情報に基づき、タイミングアドバンスの時間定量化単位を取得する前に、
端末に対し配置する１つまたは複数のコンポーネントキャリアを含むタイミングアドバンス群を、端末に対し１つまたは複数配置することをさらに含み、
前記の前記サブキャリア間隔配置情報に基づき、タイミングアドバンスの時間定量化単位を取得することは、
前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位を取得することを含む、請求項３に記載のタイミングアドバンス指示方法。
【請求項５】
前記の前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位を取得することは、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべてのアップリンク帯域幅部分のすべてのＰＵＳＣＨおよび／またはＰＵＣＣＨのサブキャリア間隔の最大値を取得することと、
前記サブキャリア間隔の最大値に基づき、前記タイミングアドバンス群に対応するタイミングアドバンスの時間定量化単位を取得することとを含む、請求項４に記載のタイミングアドバンス指示方法。
【請求項６】
前記の前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位を取得することは、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべての活性化状態のアップリンク帯域幅部分のすべてのＰＵＳＣＨおよび／またはＰＵＣＣＨのサブキャリア間隔の最大値を取得することと、
前記サブキャリア間隔の最大値に基づき、前記タイミングアドバンス群に対応するタイミングアドバンスの時間定量化単位を取得することとを含む、請求項４に記載のタイミングアドバンス指示方法。
【請求項７】
前記サブキャリア間隔の最大値に基づき、前記タイミングアドバンス群に対応するタイミングアドバンスの時間定量化単位を取得することは、
前記サブキャリア間隔配置情報のうちのサブキャリア間隔と前記タイミングアドバンスの時間定量化単位との予め形成された対応関係では、前記サブキャリア間隔の最大値Ｓに対応する前記タイミングアドバンスの時間定量化単位Ｎをサーチすることを含む、請求項５または６に記載のタイミングアドバンス指示方法。
【請求項８】
前記参照タイミングアドバンスと前記タイミングアドバンスの時間定量化単位に基づき、前記タイミングアドバンスの定量値を取得することは、
前記参照タイミングアドバンスＴとサンプリング間隔との比に基づき、目標変換値Ｍを特定することと、
前記目標変換値Ｍと前記タイミングアドバンスの時間定量化単位Ｎに基づき、タイミングアドバンスの定量値Ｋを特定することとを含む、請求項３に記載のタイミングアドバンス指示方法。
【請求項９】
前記目標変換値Ｍと前記タイミングアドバンスの時間定量化単位Ｎに基づき、タイミングアドバンスの定量値Ｋを特定することは、
第１所定公式Ｋ＝Ｍ／Ｎで計算し、前記タイミングアドバンスの定量値Ｋを取得することを含む、請求項８に記載のタイミングアドバンス指示方法。
【請求項１０】
前記タイミングアドバンスの定量値を前記端末に送信することは、
前記タイミングアドバンスの定量値が付帯されたランダムアクセス応答メッセージを前記端末に送信することを含む、請求項１に記載のタイミングアドバンス指示方法。
【請求項１１】
端末に応用されるタイミングアドバンス指示方法において、
基地局から送信されるＰＵＳＣＨおよび／またはＰＵＣＣＨのサブキャリア間隔配置情報を受信することと、
前記サブキャリア間隔配置情報に基づき、プリアンブルを前記基地局にフィードバックすることと、
前記プリアンブルに基づいて取得される追跡エリアに対応するタイミングアドバンスの定量値を前記基地局から受信することと、
前記タイミングアドバンスの定量値と前記サブキャリア間隔配置情報に基づき、目標タイミングアドバンスを特定してアップリンクタイミング調整を行うことと、
を含む、タイミングアドバンス指示方法。
【請求項１２】
前記サブキャリア間隔配置情報に基づき、プリアンブルを前記基地局にフィードバックすることは、
受信した前記サブキャリア間隔配置情報に基づき、ＰＲＡＣＨの前記プリアンブルを前記基地局にフィードバックすることを含む、請求項１１に記載のタイミングアドバンス指示方法。
【請求項１３】
前記プリアンブルに基づいて取得される追跡エリアに対応するタイミングアドバンスの定量値を前記基地局から受信することは、
前記タイミングアドバンスの定量値が付帯されるランダムアクセス応答メッセージを前記基地局から受信し、前記タイミングアドバンスの定量値を取得することを含む、請求項１１に記載のタイミングアドバンス指示方法。
【請求項１４】
基地局に応用されるタイミングアドバンス指示装置において、
ＰＵＳＣＨおよび／またはＰＵＣＣＨのサブキャリア間隔配置情報を端末に送信するための第１送信モジュールと、
前記端末から前記サブキャリア間隔配置情報に基づいてフィードバックされるプリアンブルを受信するための第１受信モジュールと、
前記プリアンブルに基づき、追跡エリアに対応するタイミングアドバンスの定量値を取得するための取得モジュールと、
前記タイミングアドバンスの定量値を前記端末に送信するための第２送信モジュールと、
を含む、タイミングアドバンス指示装置。
【請求項１５】
端末に応用されるタイミングアドバンス指示装置において、
基地局から送信されるＰＵＳＣＨおよび／またはＰＵＣＣＨのサブキャリア間隔配置情報を受信するための第２受信モジュールと、
前記サブキャリア間隔配置情報に基づき、プリアンブルを前記基地局にフィードバックするためのフィードバックモジュールと、
前記プリアンブルに基づいて取得される追跡エリアに対応するタイミングアドバンスの定量値を前記基地局から受信するための第３受信モジュールと、
前記タイミングアドバンスの定量値と前記サブキャリア間隔配置情報に基づき、目標タイミングアドバンスを特定してアップリンクタイミング調整を行うための処理モジュールと、
を含む、タイミングアドバンス指示装置。
【国際調査報告】
2020533909.tif 000012
2020533909.tif 000013
2020533909.tif 000014
2020533909.tif 000015